(57)【要約】  受信機では、ウィンドウ効果に起因して、ＰＴ−ＲＳに基づいて位相軌跡を推定する際に誤差が発生し得る。そのような誤差の問題に対処するために、送信機は、複数のサンプルのシーケンスにＰＴ−ＲＳサンプルを挿入するための少なくとも１つの位置を決定し、サンプルの第１のセットは、シーケンスの先頭にある第１の数のサンプルおよび／またはシーケンスの終端にある第２の数のサンプルを備え、ＰＴ−ＲＳサンプルのための少なくとも１つの位置は複数のサンプルの第２のセット内にある。装置は、決定された少なくとも１つの位置に基づいてシーケンスにＰＴ−ＲＳサンプルを挿入し、挿入されたＰＴ−ＲＳサンプルに基づいて信号を送信する。受信機は、ＰＴ−ＲＳサンプルを抽出し、抽出されたＰＴ−ＲＳサンプルに基づいて、受信された送信内のデータサンプルについて位相誤差を推定する。【選択図】７Ａ
2020537421.tif 000002
【特許請求の範囲】
【請求項１】
送信デバイスにおけるワイヤレス通信の方法であって、
位相トラッキング基準信号（ＰＴ−ＲＳ）サンプルを複数のサンプルのシーケンスに挿入するための少なくとも１つの位置を決定すること、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記シーケンスに前記ＰＴ−ＲＳサンプルを挿入することと、
前記挿入されたＰＴ−ＲＳサンプルに基づいて、信号を送信することと
を備える、方法。
【請求項２】
前記複数のサンプルに前記ＰＴ−ＲＳサンプルを挿入した後に、前記複数のサンプルに対して離散フーリエ変換（ＤＦＴ）を実行することをさらに備える、
請求項１に記載の方法。
【請求項３】
前記複数のサンプルの前記第１のセットは、受信機側のエッジ効果を受ける可能性があると識別される、
請求項１に記載の方法。
【請求項４】
前記シーケンスの前記先頭にある前記第１の数のサンプルおよび前記シーケンスの前記終端にある前記第２の数のサンプルは、あらかじめ定義された式に基づいて識別される、
請求項３に記載の方法。
【請求項５】
前記ＰＴ−ＲＳサンプルのための前記少なくとも１つの位置は、あらかじめ定義された式に基づいて決定される、
請求項１に記載の方法。
【請求項６】
前記ＰＴ−ＲＳサンプルの前記少なくとも１つの位置は、受信機側のウィンドウ効果を受ける可能性がある前記複数のサンプルの前記第１のセットに前記ＰＴ−ＲＳ信号を挿入することを回避する、
請求項１に記載の方法。
【請求項７】
前記複数のサンプルの前記第２のセットは、受信機側のウィンドウ効果を受ける可能性が低いサンプルを備える、
請求項１に記載の方法。
【請求項８】
チャネルの遅延スプレッドの推定値を識別することをさらに備える、
請求項１に記載の方法。
【請求項９】
前記遅延スプレッドの前記推定値は、サイクリックプレフィックス（ＣＰ）の長さを備える、
請求項８に記載の方法。
【請求項１０】
前記複数のサンプルの前記第１のセットは、シンボルのためのプレＤＦＴサンプルシーケンスの先頭にある前記第１の数のサンプルおよび前記シンボルのための前記プレＤＦＴサンプルシーケンスの終端にある前記第２の数のサンプルのうちの少なくとも１つを備え、前記第１の数のサンプルおよび前記第２の数のサンプルは、前記チャネルの前記遅延スプレッドの前記推定値に基づく、
請求項８に記載の方法。
【請求項１１】
前記第１の数のサンプルおよび前記第２の数のサンプルのうちの少なくとも１つは、前記チャネルの前記遅延スプレッドの前記推定値、高速フーリエ変換（ＦＦＴ）サイズ、および離散フーリエ変換スプレッド直交周波数分割多重化（ＤＦＴ−ｓ−ＯＦＤＭ）の離散フーリエ変換（ＤＦＴ）サイズのうちの少なくとも１つに基づく、
請求項１０に記載の方法。
【請求項１２】
前記第１の数のサンプルおよび前記第２の数のサンプルのうちの少なくとも１つは、Ｓ＊Ｊ／Ｌに比例し、Ｓは、前記チャネルの前記遅延スプレッドの前記推定値に対応し、Ｊは、高速フーリエ変換（ＦＦＴ）サイズに対応し、Ｌは、離散フーリエ変換スプレッド直交周波数分割多重化（ＤＦＴ−ｓ−ＯＦＤＭ）の離散フーリエ変換（ＤＦＴ）サイズに対応する、
請求項１０に記載の方法。
【請求項１３】
前記複数のサンプルの前記第１のセットは、第２のワイヤレスデバイスが高速フーリエ変換（ＦＦＴ）演算に使用するシンボル内のサンプルの第３のセットに基づく、
請求項１に記載の方法。
【請求項１４】
前記第２のワイヤレスデバイスが前記ＦＦＴ演算に使用する前記シンボル内のサンプルの前記第３のセットは、あらかじめ定義された方法、送信内のサイクリックプレフィックスの長さ、および第２のデバイスからのインジケーションのうちの少なくとも１つに基づく、
請求項１３に記載の方法。
【請求項１５】
前記第２のワイヤレスデバイスが前記ＦＦＴ演算に使用するサンプルの前記第３のセットは、前記シンボル内の前記複数のサンプルのサブセットのサイクリックシフトに対応する、
請求項１３に記載の方法。
【請求項１６】
前記複数のサンプルの前記第１のセットは、シンボルのためのプレＤＦＴサンプルシーケンスの先頭にある第１の境界サンプル、および前記シンボルのためのプレＤＦＴサンプルシーケンスの終端にある第２の境界サンプルのうちの少なくとも１つを含み、
前記シンボルのための前記プレＤＦＴサンプルシーケンスの前記先頭から前記第１の境界サンプルまで延在するサンプルの第３のセットは、受信機側のウィンドウ効果によって影響を受ける可能性がある、または
前記第２の境界サンプルから前記シンボルのための前記プレＤＦＴサンプルシーケンスの前記終端まで延在するサンプルの第４のセットは、前記受信機側のウィンドウ効果によって影響を受ける可能性があり、
前記少なくとも１つの位置は、前記第１の境界サンプル、前記第２の境界サンプル、サンプルの前記第３のセット、またはサンプルの前記第４のセットのうちの少なくとも１つを含まない、
請求項１に記載の方法。
【請求項１７】
前記少なくとも１つの位置は、前記第１の境界サンプルと前記第２の境界サンプルとの間の少なくとも１つのサンプルを含む、
請求項１６に記載の方法。
【請求項１８】
ワイヤレス通信のための装置であって、
メモリと、
前記メモリに結合された少なくとも１つのプロセッサと
を備え、前記少なくとも１つのプロセッサは、
位相トラッキング基準信号（ＰＴ−ＲＳ）サンプルを複数のサンプルのシーケンスに挿入するための少なくとも１つの位置を決定すること、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記シーケンスに前記ＰＴ−ＲＳサンプルを挿入することと、
前記挿入されたＰＴ−ＲＳサンプルに基づいて、信号を送信することと
を行うように構成される、装置。
【請求項１９】
前記少なくとも１つのプロセッサは、
前記複数のサンプルに前記ＰＴ−ＲＳサンプルを挿入した後に、前記複数のサンプルに対して離散フーリエ変換（ＤＦＴ）を実行するようにさらに構成される、
請求項１８に記載の装置。
【請求項２０】
前記ＰＴ−ＲＳサンプルの前記少なくとも１つの位置は、受信機側のウィンドウ効果を受ける可能性がある前記複数のサンプルの前記第１のセットに前記ＰＴ−ＲＳ信号を挿入することを回避する、
請求項１８に記載の装置。
【請求項２１】
前記複数のサンプルの前記第２のセットが、受信機側のウィンドウ効果を受ける可能性が低いサンプルを備える、
請求項１８に記載の装置。
【請求項２２】
前記少なくとも１つのプロセッサは、
チャネルの遅延スプレッドの推定値を識別するようにさらに構成される、
請求項１８に記載の装置。
【請求項２３】
前記複数のサンプルの前記第１のセットは、シンボルのためのプレＤＦＴサンプルシーケンスの先頭にある前記第１の数のサンプルおよび前記シンボルのための前記プレＤＦＴサンプルシーケンスの終端にある前記第２の数のサンプルのうちの少なくとも１つを備え、前記第１の数のサンプルおよび前記第２の数のサンプルは、前記チャネルの前記遅延スプレッドの前記推定値に基づく、
請求項２２に記載の装置。
【請求項２４】
前記第１の数のサンプルおよび前記第２の数のサンプルのうちの少なくとも１つは、前記チャネルの前記遅延スプレッドの前記推定値、高速フーリエ変換（ＦＦＴ）サイズ、および離散フーリエ変換スプレッド直交周波数分割多重化（ＤＦＴ−ｓ−ＯＦＤＭ）の離散フーリエ変換（ＤＦＴ）サイズのうちの少なくとも１つに基づく、
請求項２３に記載の装置。
【請求項２５】
前記複数のサンプルの前記第１のセットは、シンボルのためのプレＤＦＴサンプルシーケンスの先頭にある第１の境界サンプル、および前記シンボルのための前記プレＤＦＴサンプルシーケンスの終端にある第２の境界サンプルのうちの少なくとも１つを含み、
前記シンボルのための前記プレＤＦＴサンプルシーケンスの前記先頭から前記第１の境界サンプルまで延在するサンプルの第３のセットは、受信機側のウィンドウ効果によって影響を受ける可能性がある、または
前記第２の境界サンプルから前記シンボルのための前記プレＤＦＴサンプルシーケンスの前記終端まで延在するサンプルの第４のセットは、前記受信機側のウィンドウ効果によって影響を受ける可能性があり、
前記少なくとも１つの位置は、前記第１の境界サンプル、前記第２の境界サンプル、サンプルの前記第３のセット、またはサンプルの前記第４のセットのうちの少なくとも１つを含まない、
請求項１８に記載の装置。
【請求項２６】
前記少なくとも１つの位置は、前記第１の境界サンプルと前記第２の境界サンプルとの間の少なくとも１つのサンプルを含む、
請求項２５に記載の装置。
【請求項２７】
送信デバイスにおけるワイヤレス通信のための装置であって、
位相トラッキング基準信号（ＰＴ−ＲＳ）サンプルを複数のサンプルのシーケンスに挿入するための少なくとも１つの位置を決定するための手段、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記シーケンスに前記ＰＴ−ＲＳサンプルを挿入するための手段と、
前記挿入されたＰＴ−ＲＳサンプルに基づいて、信号を送信するための手段と
を備える、装置。
【請求項２８】
前記複数のサンプルに前記ＰＴ−ＲＳサンプルを挿入した後に、前記複数のサンプルに対して離散フーリエ変換（ＤＦＴ）を実行するための手段さらに備える、
請求項２７に記載の装置。
【請求項２９】
チャネルの遅延スプレッドの推定値を識別するための手段をさらに備える、
請求項２７に記載の装置。
【請求項３０】
送信デバイスにおけるワイヤレス通信のためのコンピュータ実行可能コードを記憶するコンピュータ可読媒体であって、
位相トラッキング基準信号（ＰＴ−ＲＳ）サンプルを複数のサンプルのシーケンスに挿入するための少なくとも１つの位置を決定すること、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記シーケンスに前記ＰＴ−ＲＳサンプルを挿入することと、
前記挿入されたＰＴ−ＲＳサンプルに基づいて、信号を送信することと
を行うコードを備える、コンピュータ可読媒体。
【請求項３１】
前記複数のサンプルに前記ＰＴ−ＲＳサンプルを挿入した後に、前記複数のサンプルに対して離散フーリエ変換（ＤＦＴ）を実行するコードをさらに備える、
請求項３０に記載のコンピュータ可読媒体。
【請求項３２】
チャネルの遅延スプレッドの推定値を識別するコードをさらに備える、
請求項３０に記載のコンピュータ可読媒体。
【請求項３３】
受信デバイスにおけるワイヤレス通信の方法であって、
複数のサンプルのシーケンスを備える受信された送信内の位相トラッキング基準信号（ＰＴ−ＲＳ）サンプルのための少なくとも１つの位置を決定すること、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記受信された送信から前記ＰＴ−ＲＳサンプルを抽出することと、
前記抽出されたＰＴ−ＲＳサンプルに基づいて、前記受信された送信内のデータサンプルについて位相誤差を推定することと
を備える、方法。
【請求項３４】
前記ＰＴ−ＲＳ信号を抽出する前に前記受信された送信に対して逆離散フーリエ変換（ＩＤＦＴ）を実行することをさらに備え、前記ＩＤＦＴは、出力サンプルに巡回構造を課す、
請求項３３に記載の方法。
【請求項３５】
前記推定された位相誤差に基づいて、前記データサンプルの位相を補正することをさらに備える、
請求項３３に記載の方法。
【請求項３６】
前記データサンプルについての前記位相誤差は、位相誤差シーケンスの巡回構造に基づいて推定される、
請求項３３に記載の方法。
【請求項３７】
前記位相誤差を前記推定することは、前記複数のサンプルの前記第１のセットについて第１の推定を実行することと、前記複数のサンプルの前記第２のセットについて第２の推定を実行することとを備える、
請求項３３に記載の方法。
【請求項３８】
前記複数のサンプルの前記第１のセットは、受信機側のエッジ効果を受ける可能性がある、
請求項３３に記載の方法。
【請求項３９】
前記シーケンスの前記先頭にある前記第１の数のサンプルおよび前記シーケンスの前記終端にある前記第２の数のサンプルは、あらかじめ定義された式に基づいて識別される、
請求項３８に記載の方法。
【請求項４０】
前記ＰＴ−ＲＳサンプルのための前記少なくとも１つの位置は、あらかじめ定義された式に基づいて決定される、
請求項３３に記載の方法。
【請求項４１】
前記ＰＴ−ＲＳサンプルの前記少なくとも１つの位置は、受信機側のウィンドウ効果を受ける可能性がある前記複数のサンプルの前記第１のセットを含まない、
請求項３３に記載の方法。
【請求項４２】
前記複数のサンプルの前記第２のセットは、受信機側のウィンドウ効果を受ける可能性が低いサンプルを備える、
請求項３３に記載の方法。
【請求項４３】
チャネルの遅延スプレッドの推定値を識別することをさらに備える、
請求項３３に記載の方法。
【請求項４４】
前記遅延スプレッドの前記推定値は、サイクリックプレフィックス（ＣＰ）の長さを備える、
請求項４３に記載の方法。
【請求項４５】
前記複数のサンプルの前記第１のセットは、シンボルのためのプレＤＦＴサンプルシーケンスの先頭にある前記第１の数のサンプルおよび前記シンボルのための前記プレＤＦＴサンプルシーケンスの終端にある前記第２の数のサンプルのうちの少なくとも１つを備え、前記第１の数のサンプルおよび前記第２の数のサンプルは、前記チャネルの前記遅延スプレッドの前記推定値に基づく、
請求項４３に記載の方法。
【請求項４６】
前記第１の数のサンプルおよび前記第２の数のサンプルのうちの少なくとも１つは、前記チャネルの前記遅延スプレッドの前記推定値、高速フーリエ変換（ＦＦＴ）サイズ、および離散フーリエ変換スプレッド直交周波数分割多重化（ＤＦＴ−ｓ−ＯＦＤＭ）の離散フーリエ変換（ＤＦＴ）サイズのうちの少なくとも１つに基づく、
請求項４５に記載の方法。
【請求項４７】
前記第１の数のサンプルおよび前記第２の数のサンプルのうちの少なくとも１つは、Ｓ＊Ｊ／Ｌに比例し、Ｓは、前記チャネルの前記遅延スプレッドの前記推定値に対応し、Ｊは、高速フーリエ変換（ＦＦＴ）サイズに対応し、Ｌは、離散フーリエ変換スプレッド直交周波数分割多重化（ＤＦＴ−ｓ−ＯＦＤＭ）の離散フーリエ変換（ＤＦＴ）サイズに対応する、
請求項４５に記載の方法。
【請求項４８】
前記複数のサンプルの前記第１のセットは、第２のワイヤレスデバイスが高速フーリエ変換（ＦＦＴ）演算に使用するシンボル内のサンプルの第３のセットに基づく、
請求項３３に記載の方法。
【請求項４９】
前記第２のワイヤレスデバイスが前記ＦＦＴ演算に使用する前記シンボル内のサンプルの前記第３のセットは、あらかじめ定義された方法、送信内のサイクリックプレフィックスの長さ、および第２のデバイスからのインジケーションのうちの少なくとも１つに基づく、
請求項４８に記載の方法。
【請求項５０】
前記第２のワイヤレスデバイスが前記ＦＦＴ演算に使用するサンプルの前記第３のセットは、前記シンボル内の前記複数のサンプルのサブセットのサイクリックシフトに対応する、
請求項４８に記載の方法。
【請求項５１】
前記複数のサンプルの前記第１のセットは、シンボルのためのプレＤＦＴサンプルシーケンスの先頭にある第１の境界サンプル、および前記シンボルのための前記プレＤＦＴサンプルシーケンスの終端にある第２の境界サンプルのうちの少なくとも１つを含み、
前記シンボルのための前記プレＤＦＴサンプルシーケンスの前記先頭から前記第１の境界サンプルまで延在するサンプルの第３のセットは、受信機側のウィンドウ効果によって影響を受ける可能性がある、または
前記第２の境界サンプルから前記シンボルのための前記プレＤＦＴサンプルシーケンスの前記終端まで延在するサンプルの第４のセットは、前記受信機側のウィンドウ効果によって影響を受ける可能性があり、
前記少なくとも１つの位置は、前記第１の境界サンプル、前記第２の境界サンプル、サンプルの前記第３のセット、またはサンプルの前記第４のセットのうちの少なくとも１つを含まない、
請求項３３に記載の方法。
【請求項５２】
前記少なくとも１つの位置は、前記第１の境界サンプルと前記第２の境界サンプルとの間の少なくとも１つのサンプルを含む、
請求項５１に記載の方法。
【請求項５３】
シンボルの前記先頭にある前記第１の数のサンプルおよび前記シンボルの前記終端にある前記第２の数のサンプルは、前記受信された送信を送信するユーザ機器の間隔に基づいて識別される、
請求項３３に記載の方法。
【請求項５４】
シンボルの前記先頭にある前記第１の数のサンプルおよび前記シンボルの前記終端にある前記第２の数のサンプルは、スケジュールされた帯域幅または前記受信された送信内でユーザ機器によって使用される離散フーリエ変換サイズと無関係に識別される、
請求項３３に記載の方法。
【請求項５５】
前記少なくとも１つの位置は、前記受信デバイスが高速フーリエ変換演算に使用するシンボル内のサンプルのセットに基づく、
請求項３３に記載の方法。
【請求項５６】
送信デバイスにおけるワイヤレス通信のための装置であって、
メモリと、
前記メモリに結合された少なくとも１つのプロセッサと
を備え、前記少なくとも１つのプロセッサは、
複数のサンプルのシーケンスを備える受信された送信内の位相トラッキング基準信号（ＰＴ−ＲＳ）サンプルのための少なくとも１つの位置を決定すること、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記受信された送信から前記ＰＴ−ＲＳサンプルを抽出することと、
前記抽出されたＰＴ−ＲＳサンプルに基づいて、前記受信された送信内のデータサンプルについて位相誤差を推定することと
を行うように構成される、装置。
【請求項５７】
前記少なくとも１つのプロセッサは、
前記ＰＴ−ＲＳ信号を抽出する前に前記受信された送信に対して逆離散フーリエ変換（ＩＤＦＴ）を実行するようにさらに構成され、前記ＩＤＦＴが出力サンプルに巡回構造を課す、
請求項５６に記載の装置。
【請求項５８】
前記少なくとも１つのプロセッサは、
前記推定された位相誤差に基づいて、前記データサンプルの位相を補正するようにさらに構成される、
請求項５６に記載の装置。
【請求項５９】
前記データサンプルについての前記位相誤差は、位相誤差シーケンスの巡回構造に基づいて推定される、
請求項５６に記載の装置。
【請求項６０】
前記位相誤差を前記推定することは、前記複数のサンプルの前記第１のセットについて第１の推定を実行することと、前記複数のサンプルの前記第２のセットについて第２の推定を実行することとを備える、
請求項５６に記載の装置。
【請求項６１】
前記ＰＴ−ＲＳサンプルの前記少なくとも１つの位置は、受信機側のウィンドウ効果を受ける可能性がある前記複数のサンプルの前記第１のセットを含まない、
請求項５６に記載の装置。
【請求項６２】
前記少なくとも１つのプロセッサは、
チャネルの遅延スプレッドの推定値を識別するようにさらに構成される、
請求項５６に記載の装置。
【請求項６３】
前記複数のサンプルの前記第１のセットは、シンボルのためのプレＤＦＴサンプルシーケンスの先頭にある前記第１の数のサンプルおよび前記シンボルのための前記プレＤＦＴサンプルシーケンスの終端にある前記第２の数のサンプルのうちの少なくとも１つを備え、前記第１の数のサンプルおよび前記第２の数のサンプルは、前記チャネルの前記遅延スプレッドの前記推定値に基づく、
請求項６２に記載の装置。
【請求項６４】
送信デバイスにおけるワイヤレス通信のための装置であって、
複数のサンプルのシーケンスを備える受信された送信内の位相トラッキング基準信号（ＰＴ−ＲＳ）サンプルのための少なくとも１つの位置を決定するための手段、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記受信された送信から前記ＰＴ−ＲＳサンプルを抽出するための手段と、
前記抽出されたＰＴ−ＲＳサンプルに基づいて、前記受信された送信内のデータサンプルについて位相誤差を推定するための手段と
を備える、装置。
【請求項６５】
前記ＰＴ−ＲＳ信号を抽出する前に前記受信された送信に対して逆離散フーリエ変換（ＩＤＦＴ）を実行するための手段をさらに備え、前記ＩＤＦＴは、出力サンプルに巡回構造を課す、
請求項６４に記載の装置。
【請求項６６】
前記推定された位相誤差に基づいて、前記データサンプルの位相を補正するための手段をさらに備える、
請求項６４に記載の装置。
【請求項６７】
チャネルの遅延スプレッドの推定値を識別するための手段をさらに備える、
請求項６４に記載の装置。
【請求項６８】
受信デバイスにおけるワイヤレス通信のためのコンピュータ実行可能コードを記憶するコンピュータ可読媒体であって、
複数のサンプルのシーケンスを備える受信された送信内の位相トラッキング基準信号（ＰＴ−ＲＳ）サンプルのための少なくとも１つの位置を決定すること、ここにおいて、前記複数のサンプルの第１のセットは、前記シーケンスの先頭にある第１の数のサンプルおよび前記シーケンスの終端にある第２の数のサンプルのうちの少なくとも１つを備え、前記ＰＴ−ＲＳサンプルのための前記少なくとも１つの位置は、前記複数のサンプルの第２のセット内にある、と、
前記少なくとも１つの位置に基づいて、前記受信された送信から前記ＰＴ−ＲＳサンプルを抽出することと、
前記抽出されたＰＴ−ＲＳサンプルに基づいて、前記受信された送信内のデータサンプルについて位相誤差を推定することと
を行うコードを備える、コンピュータ可読媒体。
【請求項６９】
前記ＰＴ−ＲＳ信号を抽出する前に前記受信された送信に対して逆離散フーリエ変換（ＩＤＦＴ）を実行するコードをさらに備え、前記ＩＤＦＴは、出力サンプルに巡回構造を課す、
請求項６８に記載のコンピュータ可読媒体。
【請求項７０】
前記推定された位相誤差に基づいて、前記データサンプルの位相を補正するコードをさらに備える、
請求項６８に記載のコンピュータ可読媒体。
【請求項７１】
チャネルの遅延スプレッドの推定値を識別するコードをさらに備える、
請求項６８に記載のコンピュータ可読媒体。
【発明の詳細な説明】
【関連出願の相互参照】
【０００１】
[0001]本出願は、それらの全体が参照により本明細書に明確に組み込まれる、「ＰＨＡＳＥ  ＴＲＡＣＫＩＮＧ  ＲＥＦＥＲＥＮＣＥ  ＳＩＧＮＡＬ」と題し、２０１７年１１月１７日に出願された米国仮出願第６２／５８８，１１０号、「ＰＨＡＳＥ  ＴＲＡＣＫＩＮＧ  ＲＥＦＥＲＥＮＣＥ  ＳＩＧＮＡＬ」と題し、２０１７年１０月１１日に出願された米国仮出願第６２／５７１，１３８号、および「ＰＨＡＳＥ  ＴＲＡＣＫＩＮＧ  ＲＥＦＥＲＥＮＣＥ  ＳＩＧＮＡＬ」と題し、２０１８年５月９日に出願された米国特許出願第１５／９７５，１１２号の利益を主張する。
【技術分野】
【０００２】
[0002]本開示は、一般に、通信システムに関し、より詳細には、基準信号を使用する位相トラッキングに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格は５Ｇ新無線（ＮＲ）である。５Ｇ  ＮＲは、待ち時間、信頼性、安全性、（たとえば、モノのインターネット（ＩｏＴ）による）スケーラビリティ、および他の要件に関連する新しい要件を満たすように第３世代パートナーシッププロジェクト（３ＧＰＰ（登録商標））によって公布された、連続的なモバイルブロードバンドの進化の一部である。５Ｇ  ＮＲのいくつかの態様は、４Ｇロングタームエボリューション（ＬＴＥ（登録商標））規格に基づき得る。５Ｇ  ＮＲ技術はさらなる改善を行う必要がある。これらの改善はまた、他の多元接続技術、およびこれらの技術を採用する電気通信規格に適用可能であり得る。
【０００５】
[0005]ＰＴ−ＲＳは、ワイヤレス通信（たとえば、５Ｇ  ＮＲ）における位相誤差を追跡し補正するために、ワイヤレス通信において適用され得る。ＰＴ−ＲＳは、（たとえば、ｍｍＷａｖｅ（ｍｍＷ）システムにおける）位相誤差を追跡し補正するために、５Ｇ  ＮＲにおいて使用され得る。位相誤差は、位相雑音、キャリア周波数オフセット、ドップラー効果などによって引き起こされ得る。しかしながら、逆離散フーリエ変換（ＩＤＦＴ）と関連してＰＴ−ＲＳを受信するときに、問題が発生し得る。
【発明の概要】
【０００６】
[0006]以下で、１つまたは複数の態様の基本的理解を与えるために、そのような態様の簡略化された概要を提示する。この概要は、すべての考察された態様の包括的な概説ではなく、すべての態様の主要または重要な要素を識別するものでも、いずれかまたはすべての態様の範囲を定めるものでもない。その唯一の目的は、後に提示されるより詳細な説明の導入として、１つまたは複数の態様のいくつかの概念を簡略化された形で提示することである。
【０００７】
[0007]ＰＴ−ＲＳは、ｍｍＷシステムにおける位相誤差、たとえば、位相雑音、キャリア周波数オフセット、ドップラー効果などによって引き起こされる位相誤差を追跡し補正するために、５Ｇ  ＮＲにおいて使用され得る。しかしながら、ＩＤＦＴと関連してＰＴ−ＲＳを受信するときに、受信機において問題が発生し得る。たとえば、離散フーリエ変換スプレッド直交周波数分割多重化（ＤＦＴ−ｓ−ＯＦＤＭ）通信において送信のためのデータを処理するときに、ＤＦＴ演算の前にＰＴ−ＲＳサンプルが挿入された場合、ＰＴ−ＲＳに基づいて位相誤差の軌跡を補間しようと試みる受信機においてウィンドウ効果が発生し得る。受信機において、ＩＤＦＴプロセスは、受信シンボルを決定するために受信信号に適用され得る。ＩＤＦＴプロセスの出力シーケンスは巡回構造に従い得、巡回構造は、位相誤差の軌跡における最初のサンプルおよび最後のサンプルを同様の値に収束させる。受信機における強制収束は、受信機におけるＰＴ−ＲＳの適用に起因して、推定された位相軌跡における誤差および不確実性につながる可能性がある。たとえば、サンプルの先頭および／または終端のサンプルにおいて誤差が発生し得る。この潜在的な誤差および不確実性は、ウィンドウ効果と呼ばれ得る。
【０００８】
[0008]本出願は、たとえば、ＰＴ−ＲＳを受信しようと試みる受信機におけるウィンドウ効果に起因する上記の誤差および不確実性の問題に対処する。本出願は、受信機におけるウィンドウ効果を低減または最小化するＰＴ−ＲＳパターンを介して、不確実性に対する解決策を提供する。送信機は、受信機において発生し得るウィンドウ効果に基づくパターンで、送信機におけるデータ送信にＰＴ−ＲＳを挿入し得る。たとえば、送信機は、ウィンドウ効果によって影響を受ける可能性が低い位置におけるデータ送信にＰＴ−ＲＳを挿入し得る。ＰＴ−ＲＳは、先頭および／または終端のサンプルとは異なる位置におけるデータ送信に挿入され得る。ウィンドウ効果による影響をそれほど受けない位置、たとえば、先頭および／または終端のサンプルとは異なる位置におけるデータ送信とＰＴ−ＲＳを結合することにより、ＰＴ−ＲＳを受信し抽出しようと試みる受信機にとっての不確実性が低減され得る。
【０００９】
[0009]本開示の一態様では、ユーザ機器などの送信機におけるワイヤレス通信のための方法、コンピュータ可読媒体、および装置が提供される。装置は、位相トラッキング基準信号（ＰＴ−ＲＳ）サンプルを複数のサンプルのシーケンスに挿入するための少なくとも１つの位置を決定し、複数のサンプルの第１のセットは、シーケンスの先頭にある第１の数のサンプルおよびシーケンスの終端にある第２の数のサンプルのうちの少なくとも１つを備え、ＰＴ−ＲＳサンプルのための少なくとも１つの位置は複数のサンプルの第２のセット内にある。次いで、装置は、決定された少なくとも１つの位置に基づいてシーケンスにＰＴ−ＲＳサンプルを挿入し、挿入されたＰＴ−ＲＳサンプルに基づいて信号を送信する。複数のサンプルの第１のセットは、受信機側のエッジ効果を受ける可能性があると識別され得る。信号はＤＦＴ−ｓ−ＯＦＤＭ信号を備え得る。したがって、装置は、最初に、シンボルのためのサンプルのプレＤＦＴシーケンスを形成するために、決定された位置に基づいてＰＴ−ＲＳサンプルのためのサンプルと他のサンプルとを結合し、プレＤＦＴシーケンス上でＤＦＴを実行し得る。受信機側のウィンドウ効果を受ける可能性があるサンプルの第１のセットは、シンボル内のプレＤＦＴシーケンスの先頭にある第１の数のサンプルおよびプレＤＦＴシーケンスの終端にある第２の数のサンプルのうちの少なくとも１つを備え得る。複数のサンプルの第２のセットは、受信機側のウィンドウ効果を受けないか、または受ける可能性が低いサンプルを備え得る。ＰＴ−ＲＳパターンは、あらかじめ定義された式に基づいて決定され得る。
【００１０】
[0010]本開示の一態様では、基地局などの受信機におけるワイヤレス通信のための方法、コンピュータ可読媒体、および装置が提供される。装置は、複数のサンプルのシーケンスを備える受信された送信内の位相トラッキング基準信号（ＰＴ−ＲＳ）サンプルのための少なくとも１つの位置を決定し、複数のサンプルの第１のセットは、シーケンスの先頭にある第１の数のサンプルおよびシーケンスの終端にある第２の数のサンプルのうちの少なくとも１つを備え、ＰＴ−ＲＳサンプルのための少なくとも１つの位置は複数のサンプルの第２のセット内にある。装置は、決定された少なくとも１つの位置に基づいて、受信された送信からＰＴ−ＲＳサンプルを抽出し、抽出されたＰＴ−ＲＳサンプルに基づいて、受信された送信内のデータサンプルについての位相誤差を推定する。信号はＤＦＴ−ｓ−ＯＦＤＭ信号を備え得る。したがって、装置は、ＰＴ−ＲＳサンプルを抽出する前に、受信された送信に対してＩＤＦＴを実行し得る。装置は、推定された位相誤差に基づいて、受信されたデータサンプルの位相を補正し得る。受信機側のウィンドウ効果を受ける可能性があるサンプルの第１のセットは、シンボル内のプレＤＦＴサンプルシーケンスの先頭にある第１の数のサンプルおよびシンボル内のプレＤＦＴシーケンスの終端にある第２の数のサンプルのうちの少なくとも１つを備え得る。複数のサンプルの第２のセットは、受信機側のウィンドウ効果を受けないサンプルを備える。ＰＴ−ＲＳパターンは、あらかじめ定義された式に基づいて決定され得る。
【００１１】
[0011]上記の目的および関係する目的を達成するために、１つまたは複数の態様は、以下で十分に記載され、特に特許請求の範囲において指摘される特徴を備える。以下の説明および付属の図面は、１つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むものである。
【図面の簡単な説明】
【００１２】
【図１】ワイヤレス通信システムおよびアクセスネットワークの一例を示す図。
【図２Ａ】ＤＬフレーム構造の一例を示す図。
【図２Ｂ】ＤＬフレーム構造内のＤＬチャネルの一例を示す図。
【図２Ｃ】ＵＬフレーム構造の一例を示す図。
【図２Ｄ】ＵＬフレーム構造内のＵＬチャネルの一例を示す図。
【図３】アクセスネットワーク内の基地局およびユーザ機器（ＵＥ）の一例を示す図。
【図４】ＵＥと通信している基地局を示す図。
【図５】ＤＦＴ−ｓ−ＯＦＤＭに関連するＰＴ−ＲＳ処理の一例を示す図。
【図６】例示的な巡回構造を示す図。
【図７Ａ】シンボルのためのプレＤＦＴサンプルシーケンスとの関連で例示的なＰＴ−ＲＳパターンの態様を示す図。
【図７Ｂ】シンボルのためのプレＤＦＴサンプルシーケンスとの関連で例示的なＰＴ−ＲＳパターンの態様を示す図。
【図８】ワイヤレス通信の方法のフローチャート。
【図９】例示的な装置内の様々な手段／コンポーネント間のデータフローを示す概念的なデータフロー図。
【図１０】処理システムを採用する装置のためのハードウェア実装形態の一例を示す図。
【図１１】ワイヤレス通信の方法のフローチャート。
【図１２】例示的な装置内の様々な手段／コンポーネント間のデータフローを示す概念的なデータフロー図。
【図１３】処理システムを採用する装置のためのハードウェア実装形態の一例を示す図。
【発明を実施するための形態】
【００１３】
[0025]添付の図面に関して以下に記載される発明を実施するための形態は、様々な構成の説明として意図されており、本明細書に記載される概念が実践され得る構成のみを表すように意図されていない。発明を実施するための形態は、様々な概念を完全に理解する目的で具体的な詳細を含む。しかしながら、これらの概念はこれらの具体的な詳細なしに実践され得ることは、当業者には明らかであろう。場合によっては、そのような概念を不明瞭にすることを回避するために、よく知られている構造およびコンポーネントがブロック図の形式で示される。
【００１４】
[0026]次に、様々な装置および方法を参照して、電気通信システムのいくつかの態様が提示される。これらの装置および方法は、以下の発明を実施するための形態において記載され、（「要素」と総称される）様々なブロック、コンポーネント、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００１５】
[0027]例として、要素、または要素の任意の部分、または要素の任意の組合せは、１つまたは複数のプロセッサを含む「処理システム」として実装され得る。プロセッサの例には、マイクロプロセッサ、マイクロコントローラ、グラフィックス処理装置（ＧＰＵ）、中央処理装置（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって記載される様々な機能を実行するように構成された他の適切なハードウェアが含まれる。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１６】
[0028]したがって、１つまたは複数の例示的な実施形態では、記載される機能は、ハードウェア、ソフトウェア、またはそれらの任意の組合せに実装され得る。ソフトウェアに実装される場合、機能は、コンピュータ可読媒体上に記憶されるか、またはコンピュータ可読媒体上の１つもしくは複数の命令もしくはコードとして符号化され得る。コンピュータ可読媒体はコンピュータ記憶媒体を含む。記憶媒体は、コンピュータによってアクセスされることができる任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、前述のタイプのコンピュータ可読媒体の組合せ、またはコンピュータによってアクセスされることができる命令もしくはデータ構造の形態のコンピュータ実行可能コードを記憶するために使用されることができる任意の他の媒体を備えることができる。
【００１７】
[0029]図１は、ワイヤレス通信システムおよびアクセスネットワーク１００の一例を示す図である。（ワイヤレスワイドエリアネットワーク（ＷＷＡＮ）とも呼ばれる）ワイヤレス通信システムは、基地局１０２と、ＵＥ１０４と、発展型パケットコア（ＥＰＣ）１６０とを含む。基地局１０２は、マクロセル（高電力セルラー基地局）および／またはスモールセル（低電力セルラー基地局）を含み得る。マクロセルには、基地局が含まれる。スモールセルには、フェムトセル、ピコセル、およびマイクロセルが含まれる。
【００１８】
[0030]（発展型ユニバーサルモバイルテレコミュニケーションシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を介してＥＰＣ１６０とインターフェースする。他の機能に加えて、基地局１０２は、以下の機能：ユーザデータの転送、無線チャネルの暗号化および解読、完全性保護、ヘッダ圧縮、モビリティ制御機能（たとえば、ハンドオーバ、デュアル接続性）、セル間干渉協調、接続のセットアップおよび解放、負荷分散、非アクセス層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、ならびに警告メッセージの配信のうちの１つまたは複数を実行し得る。基地局１０２は、バックホールリンク１３４（たとえば、Ｘ２インターフェース）上で互いと直接的または間接的に（たとえば、ＥＰＣ１６０を介して）通信し得る。バックホールリンク１３４は有線またはワイヤレスであり得る。
【００１９】
[0031]基地局１０２はＵＥ１０４とワイヤレスに通信し得る。基地局１０２の各々は、それぞれの地理的カバレージエリア１１０に通信カバレージを提供し得る。重複する地理的カバレージエリア１１０が存在し得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークは、異種ネットワークとして知られる場合がある。異種ネットワークはまた、限定加入者グループ（ＣＳＧ）として知られる限られたグループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、多入力多出力（ＭＩＭＯ）アンテナ技術を使用し得る。通信リンクは、１つまたは複数のキャリアを介し得る。基地局１０２／ＵＥ１０４は、各方向の送信に使用される合計ＹｘＭＨｚ（ｘ個のコンポーネントキャリア）までのキャリアアグリゲーションにおいて割り振られた、キャリア当たりＹＭＨｚ（たとえば、５、１０、１５、２０、１００ＭＨｚ）までの帯域幅のスペクトルを使用し得る。キャリアは、互いに隣接しても、しなくてもよい。キャリアの割振りは、ＤＬおよびＵＬに対して非対称であり得る（たとえば、ＵＬよりも多いかまたは少ないキャリアがＤＬに割り振られてよい）。コンポーネントキャリアは、プライマリコンポーネントキャリアと、１つまたは複数のセカンダリコンポーネントキャリアとを含み得る。プライマリコンポーネントキャリアはプライマリセル（ＰＣｅｌｌ）と呼ばれる場合があり、セカンダリコンポーネントキャリアはセカンダリセル（ＳＣｅｌｌ）と呼ばれ得る。
【００２０】
[0032]いくつかのＵＥ１０４は、デバイス間（Ｄ２Ｄ）通信リンク１９２を使用して互いに通信し得る。Ｄ２Ｄ通信リンク１９２は、ＤＬ／ＵＬ  ＷＷＡＮスペクトルを使用し得る。Ｄ２Ｄ通信リンク１９２は、物理サイドリンクブロードキャストチャネル（ＰＳＢＣＨ）、物理サイドリンク発見チャネル（ＰＳＤＣＨ）、物理サイドリンク共有チャネル（ＰＳＳＣＨ）、および物理サイドリンク制御チャネル（ＰＳＣＣＨ）などの、１つまたは複数のサイドリンクチャネルを使用し得る。Ｄ２Ｄ通信は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、ＩＥＥＥ８０２．１１規格に基づくＷｉ−Ｆｉ（登録商標）、ＬＴＥ、またはＮＲなどの、様々なワイヤレスＤ２Ｄ通信システムを介し得る。
【００２１】
[0033]ワイヤレス通信システムは、５ＧＨｚ無認可周波数スペクトル内で通信リンク１５４を介してＷｉ−Ｆｉ局（ＳＴＡ）１５２と通信しているＷｉ−Ｆｉアクセスポイント（ＡＰ）１５０をさらに含み得る。無認可周波数スペクトル内で通信するとき、ＳＴＡ１５２／ＡＰ１５０は、チャネルが利用可能かどうかを決定するために、通信するより前にクリアチャネルアセスメント（ＣＣＡ）を実行し得る。
【００２２】
[0034]スモールセル１０２’は、認可および／または無認可の周波数スペクトル内で動作し得る。無認可周波数スペクトル内で動作するとき、スモールセル１０２’はＮＲを採用し、Ｗｉ−Ｆｉ  ＡＰ１５０によって使用されるのと同じ５ＧＨｚ無認可周波数スペクトルを使用し得る。無認可周波数スペクトル内でＮＲを採用するスモールセル１０２’は、アクセスネットワークへのカバレージを強化し、および／またはアクセスネットワークの容量を増大させ得る。
【００２３】
[0035]ｇノードＢ（ｇＮＢ）１８０は、ＵＥ１０４と通信しているミリメートル波（ｍｍＷ）周波数および／または近ｍｍＷ周波数で動作し得る。ｇＮＢ１８０がｍｍＷまたは近ｍｍＷの周波数で動作するとき、ｇＮＢ１８０はｍｍＷ基地局と呼ばれ得る。極高周波（ＥＨＦ）は電磁スペクトル内のＲＦの一部である。ＥＨＦは３０ＧＨｚ〜３００ＧＨｚのレンジと、１ミリメートルと１０ミリメートルとの間の波長とを有する。その帯域内の電波はミリメートル波と呼ばれ得る。近ｍｍＷは、１００ミリメートルの波長で３ＧＨｚの周波数まで下方に延在し得る。超高周波（ＳＨＦ）帯域は、３ＧＨｚから３０ＧＨｚまで延在し、センチメートル波とも呼ばれる。ｍｍＷ／近ｍｍＷ無線周波数帯域を使用する通信は、極めて高い経路損失と短いレンジとを有する。ｍｍＷ基地局１８０は、極めて高い経路損失と短いレンジとを補償するために、ＵＥ１０４とのビームフォーミング１８４を利用し得る。
【００２４】
[0036]ＥＰＣ１６０は、モビリティ管理エンティティ（ＭＭＥ）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンタ（ＢＭ−ＳＣ）１７０と、パケットデータネットワーク（ＰＤＮ）ゲートウェイ１７２とを含み得る。ＭＭＥ１６２は、ホーム加入者サーバ（ＨＳＳ）１７４と通信していてよい。ＭＭＥ１６２は、ＵＥ１０４とＥＰＣ１６０との間のシグナリングを処理する制御ノードである。概して、ＭＭＥ１６２はベアラ管理と接続管理とを実現する。すべてのユーザのインターネットプロトコル（ＩＰ）パケットはサービングゲートウェイ１６６を介して転送され、サービングゲートウェイ１６６自体はＰＤＮゲートウェイ１７２に接続される。ＰＤＮゲートウェイ１７２は、ＵＥのＩＰアドレス割振りならびに他の機能を実現する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス、および／または他のＩＰサービスを含み得る。ＢＭ−ＳＣ１７０は、ＭＢＭＳユーザサービスのプロビジョニングおよび配信のための機能を実現し得る。ＢＭ−ＳＣ１７０は、コンテンツプロバイダＭＢＭＳ送信のためのエントリポイントとして働くことができ、公的地域モバイルネットワーク（ＰＬＭＮ）内のＭＢＭＳベアラサービスを認可および開始するために使用されてよく、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用されてよく、セッション管理（開始／停止）と、ｅＭＢＭＳ関係の課金情報を収集することとを担い得る。
【００２５】
[0037]基地局は、ｇＮＢ、ノードＢ、発展型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または何らかの他の適切な用語で呼ばれ得る。基地局１０２は、ＵＥ１０４にＥＰＣ１６０へのアクセスポイントを提供する。ＵＥ１０４の例には、携帯電話、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、車両、電気メータ、ガスポンプ、大もしくは小の台所器具、ヘルスケアデバイス、インプラント、ディスプレイ、または任意の他の同様の機能デバイスが含まれる。ＵＥ１０４のうちのいくつかは、ＩｏＴデバイス（たとえば、パーキングメータ、ガスポンプ、トースタ、車両、心臓モニタなど）と呼ばれ得る。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれ得る。
【００２６】
[0038]再び図１を参照すると、いくつかの態様では、ＵＥ１０４／基地局１８０は、たとえば、図５〜図１０に関して記載される態様のうちのいずれかを含む、送信のためのデータを処理するときに複数のサンプルのプレＤＦＴシーケンスにＰＴ−ＲＳサンプルを挿入するように構成されたＰＴ−ＲＳ送信機コンポーネント１９８とともに構成され得る。いくつかの態様では、ＵＥ１０４／基地局１８０は、たとえば、図５〜図７および図１１〜図１３に関して記載される態様のうちのいずれかを含む、受信された信号データを処理するときにＰＴ−ＲＳサンプルを抽出するように構成されたＰＴ−ＲＳ受信機コンポーネント１９９を含むように構成され得る。
【００２７】
[0039]図２Ａは、５Ｇ／ＮＲフレーム構造内のＤＬサブフレームの一例を示す図２００である。図２Ｂは、ＤＬサブフレーム内のチャネルの一例を示す図２３０である。図２Ｃは、５Ｇ／ＮＲフレーム構造内のＵＬサブフレームの一例を示す図２５０である。図２Ｄは、ＵＬサブフレーム内のチャネルの一例を示す図２８０である。５Ｇ／ＮＲフレーム構造は、サブキャリアの特定のセット（キャリアシステム帯域幅）に対して、サブキャリアのセット内のサブフレームがＤＬまたはＵＬのいずれかに専用であるＦＤＤであり得、サブキャリアの特定のセット（キャリアシステム帯域幅）に対して、サブキャリアのセット内のサブフレームがＤＬとＵＬの両方に専用であるＴＤＤであってもよい。図２Ａ、図２Ｃによって提供された例では、５Ｇ／ＮＲフレーム構造は、サブフレーム４  ＤＬサブフレームとサブフレーム７  ＵＬサブフレームとを伴う、ＴＤＤであると想定される。サブフレーム４はＤＬのみを提供するものとして示されており、サブフレーム７はＵＬのみを提供するものとして示されているが、任意の特定のサブフレームはＵＬとＤＬの両方を提供する異なるサブセットに分割され得る。以下の説明は、ＦＤＤである５Ｇ／ＮＲフレーム構造にも適用されることに留意されたい。
【００２８】
[0040]他のワイヤレス通信技術は、異なるフレーム構造および／または異なるチャネルを有してよい。フレーム（１０ｍｓ）は、１０個の等しいサイズのサブフレーム（１ｍｓ）に分割され得る。各サブフレームは、１つまたは複数のタイムスロットを含み得る。各スロットは、スロット構成に応じて７個または１４個のシンボルを含み得る。スロット構成０の場合、各スロットは１４個のシンボルを含んでよく、スロット構成１の場合、各スロットは７個のシンボルを含み得る。サブフレーム内のスロットの数は、スロット構成および数秘学に基づく。スロット構成０の場合、異なる数秘学０〜５は、サブフレーム当たり、それぞれ、１、２、４、８、１６、および３２個のスロットを可能にする。スロット構成１の場合、異なる数秘学０〜２は、サブフレーム当たり、それぞれ、２、４、および８個のスロットを可能にする。サブキャリア間隔およびシンボル長／持続時間は、数秘学の関数である。サブキャリア間隔は２μ＊１５ｋＨＺに等しくなり得、ここで、μは数秘学０〜５である。シンボル長／持続時間はサブキャリア間隔と逆関係にある。図２Ａ、図２Ｃは、スロット当たり７シンボルを有するスロット構成１、およびサブフレーム当たり２スロットを有する数秘学０の一例を提供する。サブキャリア間隔は１５ｋＨｚであり、シンボル持続時間は約６６．７μｓである。
【００２９】
[0041]フレーム構造を表すためにリソースグリッドが使用され得る。各タイムスロットは、１２個の連続するサブキャリアを延在する（物理ＲＢ（ＰＲＢ）とも呼ばれる）リソースブロック（ＲＢ）を含む。リソースグリッドは複数のリソース要素（ＲＥ）に分割される。各ＲＥによって搬送されるビットの数は変調方式に依存する。
【００３０】
[0042]図２Ａに示されたように、ＲＥのうちのいくつかは、（Ｒと示された）ＵＥのための基準（パイロット）信号（ＲＳ）を搬送する。ＲＳは、復調ＲＳ（ＤＭ−ＲＳ）と、ＵＥにおけるチャネル推定のためのチャネル状態情報基準信号（ＣＳＩ−ＲＳ）とを含み得る。ＲＳはまた、ビーム測定ＲＳ（ＢＲＳ）と、ビーム改良ＲＳ（ＢＲＲＳ）と、位相トラッキングＲＳ（ＰＴ−ＲＳ）とを含み得る。
【００３１】
[0043]図２Ｂは、フレームのＤＬサブフレーム内の様々なチャネルの一例を示す。物理制御フォーマットインジケータチャネル（ＰＣＦＩＣＨ）はスロット０のシンボル０内にあり、物理ダウンリンク制御チャネル（ＰＤＣＣＨ）が１つのシンボルを占有するか、２つのシンボルを占有するか、３つのシンボルを占有するかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９つのＲＥグループ（ＲＥＧ）を含み、各ＲＥＧはＯＦＤＭシンボル内に４つの連続するＲＥを含む。ＵＥは、ＤＣＩも搬送するＵＥ固有拡張ＰＤＣＣＨ（ｅＰＤＣＣＨ）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ）（ＨＡＲＱ）インジケータチャネル（ＰＨＩＣＨ）もスロット０のシンボル０内にあり、物理アップリンク共有チャネル（ＰＵＳＣＨ）に基づいてＨＡＲＱ肯定応答（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり得る。ＰＳＣＨは、サブフレーム／シンボルタイミングと物理レイヤ識別情報とを決定するためにＵＥ１０４によって使用されるプライマリ同期信号（ＰＳＳ）を搬送する。セカンダリ同期チャネル（ＳＳＣＨ）は、フレームのサブフレーム０および５内のスロット０のシンボル５内にあり得る。ＳＳＣＨは、物理レイヤセル識別情報グループ番号と無線フレームタイミングとを決定するためにＵＥによって使用されるセカンダリ同期信号（ＳＳＳ）を搬送する。物理レイヤ識別情報および物理レイヤセル識別情報グループ番号に基づいて、ＵＥは物理セル識別子（ＰＣＩ）を決定することができる。ＰＣＩに基づいて、ＵＥは前述のＤＬ−ＲＳの位置を決定することができる。マスタ情報ブロック（ＭＩＢ）を搬送する物理ブロードキャストチャネル（ＰＢＣＨ）は、同期信号（ＳＳ）／ＰＢＣＨブロックを形成するためにＰＳＣＨおよびＳＳＣＨを用いて論理的にグループ化され得る。ＭＩＢは、ＤＬシステム帯域幅内のＲＢの数と、ＰＨＩＣＨ構成と、システムフレーム番号（ＳＦＮ）とを提供する。物理ダウンリンク共有チャネル（ＰＤＳＣＨ）は、ユーザデータと、システム情報ブロック（ＳＩＢ）などのＰＢＣＨを介して送信されないブロードキャストシステム情報と、ページングメッセージとを搬送する。
【００３２】
[0044]図２Ｃに示されたように、ＲＥのうちのいくつかは、基地局におけるチャネル推定のための復調基準信号（ＤＭ−ＲＳ）を搬送する。ＵＥは、サブフレームの最終シンボル内でサウンディング基準信号（ＳＲＳ）をさらに送信し得る。ＳＲＳはコム構造を有することができ、ＵＥは、コムのうちの１つの上でＳＲＳを送信し得る。ＳＲＳは、チャネル品質推定がＵＬ上での周波数依存スケジューリングを可能にするために、基地局によって使用され得る。
【００３３】
[0045]図２Ｄは、フレームのＵＬサブフレーム内の様々なチャネルの一例を示す。物理ランダムアクセスチャネル（ＰＲＡＣＨ）は、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨにより、ＵＥが初期システムアクセスを実行し、ＵＬ同期を実現することが可能になる。物理アップリンク制御チャネル（ＰＵＣＣＨ）は、ＵＬシステム帯域幅のエッジ上に配置され得る。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックなどのアップリンク制御情報（ＵＣＩ）を搬送する。ＰＵＳＣＨはデータを搬送し、バッファステータス報告（ＢＳＲ）、電力ヘッドルーム報告（ＰＨＲ）、および／またはＵＣＩを搬送するためにさらに使用され得る。
【００３４】
[0046]図３は、アクセスネットワーク内でＵＥ３５０と通信している基地局３１０のブロック図である。ＤＬでは、ＥＰＣ１６０からのＩＰパケットは、コントローラ／プロセッサ３７５に供給され得る。コントローラ／プロセッサ３７５はレイヤ３およびレイヤ２の機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティング、ＲＲＣ接続制御（たとえば、ＲＲＣ接続ページング、ＲＲＣ接続確立、ＲＲＣ接続修正、およびＲＲＣ接続解放）、無線アクセス技術（ＲＡＴ）間モビリティ、ならびにＵＥ測定報告のための測定構成に関連するＲＲＣレイヤ機能と、ヘッダ圧縮／解凍、セキュリティ（暗号化、解読、完全性保護、完全性検証）、およびハンドオーバーサポート機能に関連するＰＤＣＰレイヤ機能と、上位レイヤパケットデータユニット（ＰＤＵ）の転送、ＡＲＱを介した誤り訂正、ＲＬＣサービスデータユニット（ＳＤＵ）の連結、セグメンテーション、およびリアセンブリ、ＲＬＣデータＰＤＵの再セグメンテーション、ならびにＲＬＣデータＰＤＵの並べ替えに関連するＲＬＣレイヤ機能と、論理チャネルとトランスポートチャネルとの間のマッピング、トランスポートブロック（ＴＢ）上へのＭＡＣ  ＳＤＵの多重化、ＴＢからのＭＡＣ  ＳＤＵの逆多重化、スケジューリング情報報告、ＨＡＲＱを介した誤り訂正、優先度処理、および論理チャネル優先度付けに関連するＭＡＣレイヤ機能とを実現する。
【００３５】
[0047]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ））に基づく信号コンスタレーションへのマッピングを扱う。コーディングされ変調されたシンボルは、次いで、並列ストリームに分割され得る。各ストリームは、次いで、時間領域ＯＦＤＭシンボルストリームを搬送する物理チャネルを生成するために、ＯＦＤＭサブキャリアにマッピングされ、時間領域および／または周波数領域内で基準信号（たとえば、パイロット）と多重化され、次いで、逆高速フーリエ変換（ＩＦＦＴ）を使用して一緒に合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別々の送信機３１８ＴＸを介して異なるアンテナ３２０に供給され得る。各送信機３１８ＴＸは、送信のためにそれぞれの空間ストリームを有するＲＦキャリアを変調し得る。
【００３６】
[0048]ＵＥ３５０において、各受信機３５４ＲＸは、受信機のそれぞれのアンテナ３５２を介して信号を受信する。各受信機３５４ＲＸは、ＲＦキャリア上に変調された情報を復元し、その情報を受信（ＲＸ）プロセッサ３５６に供給する。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、複数の空間ストリームは、ＲＸプロセッサ３５６によって単一のＯＦＤＭシンボルストリームに合成され得る。次いで、ＲＸプロセッサ３５６は、高速フーリエ変換（ＦＦＴ）を使用して、ＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルおよび基準信号は、基地局３１０によって送信される、可能性が最も高い信号コンスタレーションポイントを決定することによって復元および復調される。これらの軟判定は、チャネル推定器３５８によって算出されたチャネル推定値に基づき得る。軟判定は、次いで、物理チャネル上で基地局３１０によって最初に送信されたデータと制御信号とを復元するために復号およびデインターリーブされる。データおよび制御信号は、次いで、レイヤ３およびレイヤ２の機能を実装するコントローラ／プロセッサ３５９に供給される。
【００３７】
[0049]コントローラ／プロセッサ３５９は、プログラムコードとデータとを記憶するメモリ３６０と関連付けることができる。メモリ３６０は、コンピュータ可読媒体と呼ばれ得る。ＵＬでは、コントローラ／プロセッサ３５９は、ＥＰＣ１６０からのＩＰパケットを復元するために、トランスポートチャネルと論理チャネルとの間の逆多重化と、パケットリアセンブリと、解読と、ヘッダ解凍と、制御信号処理とを実現する。コントローラ／プロセッサ３５９はまた、ＨＡＲＱ動作をサポートするために、ＡＣＫおよび／またはＮＡＣＫプロトコルを使用する誤り検出を担う。
【００３８】
[0050]基地局３１０によるＤＬ送信に関して記載された機能と同様に、コントローラ／プロセッサ３５９は、システム情報（たとえば、ＭＩＢ、ＳＩＢ）収集、ＲＲＣ接続、および測定報告に関連するＲＲＣレイヤ機能と、ヘッダ圧縮／解凍およびセキュリティ（暗号化、解読、完全性保護、完全性検証）に関連するＰＤＣＰレイヤ機能と、上位レイヤＰＤＵの転送、ＡＲＱを介した誤り訂正、ＲＬＣ  ＳＤＵの連結、セグメンテーション、およびリアセンブリ、ＲＬＣデータＰＤＵの再セグメンテーション、ならびにＲＬＣデータＰＤＵの並べ替えに関連するＲＬＣレイヤ機能と、論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを介した誤り訂正、優先度処理、および論理チャネル優先度付けに関連するＭＡＣレイヤ機能とを実現する。
【００３９】
[0051]基地局３１０によって送信された基準信号またはフィードバックからチャネル推定器３５８によって導出されたチャネル推定値は、適切なコーディングおよび変調方式を選択し、空間処理を容易にするために、ＴＸプロセッサ３６８によって使用され得る。ＴＸプロセッサ３６８によって生成された空間ストリームは、別々の送信機３５４ＴＸを介して異なるアンテナ３５２に供給され得る。各送信機３５４ＴＸは、送信のためにそれぞれの空間ストリームでＲＦキャリアを変調し得る。
【００４０】
[0052]ＵＬ送信は、ＵＥ３５０における受信機機能に関して記載された方式と同様の方式で、基地局３１０において処理される。各受信機３１８ＲＸは、受信機のそれぞれのアンテナ３２０を介して信号を受信する。各受信機３１８ＲＸは、ＲＦキャリア上に変調された情報を復元し、その情報をＲＸプロセッサ３７０に供給する。
【００４１】
[0053]コントローラ／プロセッサ３７５は、プログラムコードとデータとを記憶するメモリ３７６と関連付けることができる。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間の逆多重化と、パケットリアセンブリと、解読と、ヘッダ解凍と、制御信号処理とを実現する。コントローラ／プロセッサ３７５からのＩＰパケットは、ＥＰＣ１６０に供給され得る。コントローラ／プロセッサ３７５はまた、ＨＡＲＱ動作をサポートするために、ＡＣＫおよび／またはＮＡＣＫプロトコルを使用する誤り検出を担う。
【００４２】
[0054]図４は、ＵＥ４０４と通信している基地局４０２を示す図４００である。図４を参照すると、基地局４０２は、方向４０２ａ、４０２ｂ、４０２ｃ、４０２ｄ、４０２ｅ、４０２ｆ、４０２ｇ、４０２ｈのうちの１つまたは複数において、ＵＥ４０４にビームフォーミングされた信号を送信し得る。ＵＥ４０４は、１つまたは複数の受信方向４０４ａ、４０４ｂ、４０４ｃ、４０４ｄにおいて、基地局４０２からビームフォーミングされた信号を受信し得る。ＵＥ４０４は、方向４０４ａ〜４０４ｄのうちの１つまたは複数において、基地局４０２にビームフォーミングされた信号を送信することもできる。基地局４０２は、受信方向４０２ａ〜４０２ｈのうちの１つまたは複数において、ＵＥ４０４からビームフォーミングされた信号を受信し得る。基地局４０２／ＵＥ４０４は、基地局４０２／ＵＥ４０４の各々のための最良の受信方向と送信方向とを決定するために、ビームトレーニングを実行し得る。基地局４０２のための送信方向と受信方向は、同じであってもなくてもよい。ＵＥ４０４のための送信方向と受信方向は、同じであってもなくてもよい。
【００４３】
[0055]ＮＲにおける基準信号のうちの１つはＰＴ−ＲＳであり得る。ＰＴ−ＲＳは、位相誤差を追跡し補正するために、５Ｇ  ＮＲにおいて適用され得る。位相誤差は、位相雑音、キャリア周波数オフセット、ドップラー効果などによって引き起こされ得る。たとえば、位相雑音は、ワイヤレスリンク内の発振のジッタに起因して、送信された波形の位相におけるランダムな変動を引き起こす可能性がある。キャリア周波数オフセット（ＣＦＯ）および／またはドップラーも、送信された波形の位相を変化させる可能性がある。
【００４４】
[0056]位相雑音の影響、たとえば、位相誤差は、サブ６ＧＨｚワイヤレス通信システムよりもｍｍＷワイヤレス通信システムにおいてより重大になる可能性があるので、これはｍｍＷシステムにおいて特に重要であり得る。位相雑音は、発振器キャリア周波数に応じて増大し得る。したがって、位相雑音を軽減するために、ｍｍＷシステムにおいてＰＴ−ＲＳが有用であり得る。
【００４５】
[0057]共通位相誤差（ＣＰＥ）に起因する位相回転はＯＦＤＭシンボル内のすべてのサブキャリアに対して同じであり得るが、それらはＯＦＤＭシンボルにわたる位相誤差の相関が低い場合があるので、ＰＴ−ＲＳは、周波数領域内の低密度と、時間領域内の高密度とを有してよい。ＰＴ−ＲＳは、ＵＥ固有で、スケジュールされたリソース内に限定されてよく、ビームフォーミングされ得る。ＰＴ−ＲＳは、発振器の品質、送信に使用される変調およびコーディング方式、キャリア周波数、ＯＦＤＭサブキャリア間隔などに基づいて構成され得る。
【００４６】
[0058]図５は、ＤＦＴ−ｓ−ＯＦＤＭに関連するデータシンボルとＰＴ−ＲＳを結合するための例示的な図を示す。図５は、受信機への送信のためのデータを処理するときに、データシンボルａ１、ａ２、ａ３とともに挿入されるＰＴ−ＲＳシーケンスｂ１、ｂ２、．．．を示す。５０２において、ＰＴ−ＲＳシーケンスｂ１、ｂ２、．．．はデータａ１、ａ２、ａ３とともに挿入され、シリアルパラレル変換５０４によって処理される。次いで、５０６において、Ｍ点ＤＦＴプロセスが適用され、ここで、Ｍは送信において割り当てられたサブキャリアの数に対応する。５０８において、サブキャリアマッピングが実行され、次いで、Ｎ点逆高速フーリエ変換（ＩＦＦＴ）プロセス５１０が適用される。５１２において、パラレルシリアル変換が適用され、５１４において、サイクリックプレフィックスが追加される。次いで、ワイヤレスチャネルを介して受信機にデータとＰＴ−ＲＳとを送信するための信号を生成するために、５１６において、デジタルアナログ変換（ＤＡＣ）または無線周波数（ＲＦ）変換が適用される。
【００４７】
[0059]チャネル上で信号を受信する受信機は、５１８においてアナログデジタル変換（ＡＤＣ）を適用し、５２０においてサイクリックプレフィックスを除去し、５２２においてシリアルパラレル変換を実行する。５２４において、Ｎ点高速フーリエ変換（ＦＦＴ）プロセスが適用され、５２６において、サブキャリアのデマッピングまたは等化が適用される。５２８におけるＭ点逆離散フーリエ変換（ＩＤＦＴ）演算の後に、５３０において、パラレルシリアル変換が適用される。次いで、５３２において、受信データからＰＴ−ＲＳが抽出され得る。５３４において位相補正を計算して受信信号内の位相雑音を補償するために、抽出されたＰＴ−ＲＳが使用され得る。５３６において、算出された位相補正に基づいて受信データに位相補正が適用され得る。次いで、５３８において、受信データが復号され得る。
【００４８】
[0060]しかしながら、たとえば、５０６において、ＤＦＴ処理より前にデータシンボルとともにＰＴ−ＲＳサンプルを挿入するときに、問題が発生し得る。ＤＦＴ−ｓ−ＯＦＤＭでは、送信機において送信を処理するときのＰＴ−ＲＳサンプルのプレＤＦＴ挿入は、受信機におけるウィンドウ効果につながる可能性がある。受信機は、経時的に位相軌跡を推定するために、受信されたＰＴ−ＲＳサンプルの位相を使用し得る。受信機において、受信シンボルを決定するために、受信信号にＩＤＦＴプロセスが適用され得る。ＩＤＦＴプロセスの出力シーケンスは巡回構造に従い得、巡回構造は、位相誤差の軌跡における最初のサンプルおよび最後のサンプルを同様の値に収束させる。図６は、軌跡の開始に近いサンプルおよび軌跡の終端に近いサンプルが同様の値に収束する、例示的な巡回構造６００を示す。図６では、Ｙ（１）はシンボルのためのプレＤＦＴサンプルシーケンスのＮ個のサンプル内の第１のサンプル値を表し、Ｙ（２）は第２のサンプル値を表し、Ｙ（Ｎ）はシンボルのための最後のサンプル値を表し、Ｙ（Ｎ−１）は最後のサンプル値の前のサンプル値を表す。サンプルの数Ｎは、受信機において適用されたＮ点ＩＤＦＴの数Ｎに対応する。図６に示されたように、Ｙ（Ｎ）の値は、この巡回構造においてＹ（１）の初期値の近くに収束する。受信機における強制収束は、ＰＴ−ＲＳに基づいて推定された位相軌跡における誤差および不確実性につながる可能性がある。潜在的な誤差および不確実性は、本明細書ではウィンドウ効果と呼ばれ得る。
【００４９】
[0061]本出願は、ＰＴ−ＲＳを受信しようと試みる受信機が遭遇するウィンドウ効果を低減または最小化するＰＴ−ＲＳパターンを介して、ＰＴ−ＲＳの受信における誤差および不確実性の問題に対処する。たとえば、ＰＴ−ＲＳは、受信機において遭遇し得るウィンドウ効果に基づく位置における送信機において挿入されるか、またはデータと結合され得る。たとえば、送信機は、ウィンドウ効果によって影響を受ける可能性が低い位置におけるデータ送信のためのプレＤＦＴサンプルシーケンスにＰＴ−ＲＳサンプルを挿入し得る。ＰＴ−ＲＳは、シンボルのためのプレＤＦＴサンプルシーケンス内の先頭および／または終端のサンプルとは異なる位置におけるデータ送信に挿入され得る。シーケンスがシンボルのための時間領域内でサンプル１からサンプルＮまで延在するＮ個のサンプルを含むシンボルのためのプレＤＦＴサンプルシーケンスの場合、先頭のサンプルは、時間領域に従ってシーケンス内の最初のサンプル、たとえば、シンボルのためのシーケンス内のサンプル１を含んでよく、サンプル１に続く最初の数個のサンプル、たとえば、サンプル２、サンプル３などを含み得る。終端のサンプルは、時間領域に従ってシーケンス内の最後のサンプル、たとえば、サンプルＮを含んでよく、シーケンス内のサンプルＮの直前の数個のサンプル、たとえば、サンプルＮ−１、サンプルＮ−２などを含み得る。ウィンドウ効果による影響をそれほど受けないサンプル位置、たとえば、シンボルまたは間隔のためのプレＤＦＴサンプルシーケンスの先頭および／または終端のサンプルとは異なるサンプル位置におけるデータ送信のためのシンボルのプレＤＦＴシーケンスとＰＴ−ＲＳを結合することにより、受信し、受信信号からＰＴ−ＲＳを抽出しようと試みる受信機にとっての不確実性が低減され得る。
【００５０】
[0062]したがって、ＰＴ−ＲＳパターンは、ＰＴ−ＲＳを受信する受信機において遭遇し得る潜在的なウィンドウ効果を低減し得る。たとえば、シンボルのための時間（プレＤＦＴ）サンプルシーケンス内の先頭および／または終端のサンプルにＰＴ−ＲＳを挿入するとき、ＰＴ−ＲＳパターンは、受信機においてウィンドウ効果を受ける可能性がある領域を回避し得る。したがって、ＰＴ−ＲＳ挿入パターンは、潜在的なウィンドウ効果に遭遇し得るシンボルのためのサンプルのシーケンスの先頭および／または終端の領域を回避し得る。ＰＴ−ＲＳパターンは、ウィンドウ効果を受ける可能性が低いサンプルの少なくとも１つの領域、たとえば、シンボルのためのプレＤＦＴサンプルシーケンス内の先頭および／または終端のサンプルを含む領域以外の領域にＰＴ−ＲＳを挿入し得る。図７Ａは、時間領域に従って、シンボルのためのＮ個のサンプルのプレＤＦＴサンプルシーケンスの例７００を示す。サンプルの数Ｎは、送信機において適用されるＮ点ＤＦＴのＮに対応し、それは、受信機において適用されるＮ点ＩＤＦＴのＮ、およびＮ長プレＤＦＴサンプルシーケンスのサイズにも対応する。例７０２では、シンボルのための最初のサンプル〜Ｋ番目のサンプルは、受信機においてウィンドウ効果によって影響を受ける可能性がある。プレＤＦＴサンプルシーケンスの終端において、たとえば、シーケンス内のＭ番目のサンプル〜最後のサンプルは、ウィンドウ効果によって影響を受ける可能性がある。影響を受けるサンプルは、受信機において適用されるＩＤＦＴの巡回構造に起因して、シンボル内のプレＤＦＴシーケンスの先頭のサンプルおよび終端のサンプルに対応する。したがって、サンプルＫ７０１は、受信機においてウィンドウ効果を受ける可能性があると識別されたプレＤＦＴサンプルシーケンス内の境界サンプルであってよく、Ｋ番目のサンプルに続くサンプルは、ウィンドウ効果を受けない可能性があるか、またはウィンドウ効果を受ける可能性が低い場合がある。同様に、サンプルＭ７０３は、受信機においてウィンドウ効果を受ける可能性があると識別された第２の境界サンプルであってよく、サンプルＭより前のサンプルは、ウィンドウ効果を受けない可能性があるか、またはウィンドウ効果を受ける可能性が高い場合がある。図７Ａでは、シンボルのためのサンプルのプレＤＦＴシーケンスのためのＮ個のサンプルの２つの連続するサブセットが、受信機においてウィンドウ効果を受けていると識別され、第１のサブセットは１番目のサンプル〜Ｋ番目のサンプルを備え、第２のサブセットはＮ−Ｍ番目のサンプル〜Ｍ番目のサンプルを備える。Ｋ番目のサンプルとＭ番目のサンプルとの間の第３のサブセットは、受信機においてウィンドウ効果によって影響を受けていないか、または影響を受けている可能性が低いと識別される。
【００５１】
[0063]送信機において、ＰＴ−ＲＳは、ウィンドウ効果によって影響を受ける領域を回避する、たとえば、ウィンドウ効果を受けていると識別されたシンボルの先頭および終端におけるサンプルの２つのサブセットを回避するパターンに従って挿入され得る。したがって、ＰＴ−ＲＳパターンは、たとえば、７０１と７０３との間のサンプルを備える、先頭および／または終端のサンプル以外のサンプルにＰＴ−ＲＳを挿入し得る。これにより、ＰＴ−ＲＳパターンが、受信機側のウィンドウ効果を受けないサンプルのセット、たとえば、先頭および／または終端のサンプルとは異なるサンプルにＰＴ−ＲＳ信号を挿入することが可能になる。したがって、ＰＴ−ＲＳパターンは、受信機側のウィンドウ効果を受ける可能性があるサンプルのセットにＰＴ−ＲＳ信号を加えることを回避し得る。
【００５２】
[0064]影響を受けるサンプルは、チャネル遅延スプレッド推定値に基づいて識別され得る。たとえば、送信機は、チャネルの遅延スプレッドの推定値を識別し得る。推定値はサイクリックプレフィックス（ＣＰ）の長さであり得る。次いで、送信機は、チャネル遅延スプレッド推定値に基づいて、たとえば、シンボルの先頭および終端においてウィンドウ効果によって影響を受ける可能性がある、ある数のサンプルを識別し得る。識別されたサンプルは、シンボルの先頭にある第１の数のサンプルおよび／またはシンボルの終端における第２の数のサンプルを備え得る。たとえば、識別されたサンプルは、関数Ｑ＝Ｓ＊Ｊ／Ｌに基づく数のサンプルを備え得る。Ｑはサンプルの数に対応し、Ｓはチャネル遅延スプレッド推定値に対応し、Ｊは高速フーリエ変換（ＦＦＴ）サイズに対応し、Ｌは離散フーリエ変換スプレッド直交周波数分割多重化（ＤＦＴ−ｓ−ＯＦＤＭ）の離散フーリエ変換（ＤＦＴ）サイズに対応する。したがって、ＰＴ−ＲＳパターンは、たとえば、チャネル遅延スプレッド推定値、ＦＦＴサイズ、ＤＦＴ−ｓ−ＯＦＤＭのＤＦＴサイズの任意の組合せの関数に基づき得る。ＰＴ−ＲＳパターンはＳ＊Ｊ／Ｌに比例してよい。これは、ＰＴ−ＲＳパターンが基づき得るあらかじめ定義された式の一例である。一例では、識別されたサンプルは、シンボルの先頭におけるＱ個のサンプルと、シンボルの終端におけるＱ個のサンプルとを含み得る。したがって、シンボルの先頭においてウィンドウ効果によって影響を受けると識別されたサンプルの数は、シンボルの終端においてウィンドウ効果によって影響を受けると識別されたサンプルの数と同じであり得る。別の例では、シンボルの先頭においてウィンドウ効果によって影響を受けると識別されたサンプルの数は、シンボルの終端においてウィンドウ効果によって影響を受けると識別されたサンプルの数とは異なっていてよい。
【００５３】
[0065]受信機において、ウィンドウ効果を最小化するためにＩＤＦＴの巡回構造を考慮に入れる位相軌跡を復元するために、アルゴリズムが適用され得る。たとえば、位相誤差の軌跡は、区分的な方式で推定され得る。位相軌跡の第１の推定または補間は、サンプルＫ＋１〜Ｎ−Ｍ−１、たとえば、受信機においてウィンドウ効果によって影響を受けていないと識別されたサンプルに対して行われてよい。したがって、位相軌跡の第２の推定または補間は、１番目のサンプル〜Ｋ番目のサンプルおよびＮ−Ｍ番目のサンプル〜Ｍ番目のサンプル、たとえば、受信機においてウィンドウ効果を受ける可能性があるサンプルの２つのサブセットに対して行われてよい。
【００５４】
[0066]図７Ｂは、シンボルのためのシーケンスの先頭にあるサンプルのグループ７０６およびシンボルのためのシーケンスの終端にあるサンプルのグループ７１２が、ウィンドウ効果によって大いに影響を受けていると識別され得る、第２の例を示す。シンボルのためのシーケンスの先頭にあるサンプルの第２のグループ７０８およびシンボルのためのシーケンスの終端にあるサンプルの第２のグループ７１０は、ウィンドウ効果によって影響を受ける可能性があると識別され得る。ＰＴ−ＲＳパターンは、ウィンドウ効果によって大いに影響を受けるサンプルのグループ７０６、７１２、および／またはウィンドウ効果によってそれほど影響を受けない可能性があるサンプルのグループ７０８、７１０にＰＴ−ＲＳを挿入することを回避するように選択され得る。ＰＴ−ＲＳパターンは、ウィンドウ効果によって影響を受けていないと識別されたシンボルのサンプル７１２にＰＴ−ＲＳを挿入することができ、ウィンドウ効果によって影響を受けていないと識別されたシンボルのサンプル７１４へのＰＴ−ＲＳ挿入を制限することさえできる。
【００５５】
[0067]図８は、送信機装置におけるワイヤレス通信の方法のフローチャート８００である。方法は、ＵＥ（たとえば、１０４、３５０、装置９０２／９０２’）または（たとえば、ワイヤレスバックホールネットワーク内の）ｇＮＢなどの送信装置によって実行され得る。オプションの態様は破線で示されている。
【００５６】
[0068]８０４において、装置は、複数のサンプルのシーケンスにＰＴ−ＲＳサンプルを挿入するための少なくとも１つの位置を決定し得る。複数のサンプルの第１のセットは、シーケンスの先頭にある第１の数のサンプルおよびシーケンスの終端にある第２の数のサンプルのうちの少なくとも１つを備えてよく、ＰＴ−ＲＳサンプルのための少なくとも１つの位置は複数のサンプルの第２のセット内にあり得る。複数のサンプルの第１のセットは、たとえば、図７Ａおよび図７Ｂに関して記載されたサンプルのシーケンスの先頭のサンプルおよび／または終端のサンプルなどの、受信機側のウィンドウ効果を受ける可能性があると識別され得る。たとえば、８０２において、装置は、場合によっては、受信機側のウィンドウ効果を受ける可能性がある送信のためのサンプルを識別し得る。複数のサンプルの第２のセットは、受信機側のウィンドウ効果を受けない可能性がある。たとえば、少なくとも１つの位置は、先頭および／または終端のサンプル以外のサンプルを備え得る。ＰＴ−ＲＳサンプルの少なくとも１つの位置は、受信機側のウィンドウ効果を受ける可能性がある複数のサンプルの第１のセットにＰＴ−ＲＳ信号を挿入することを回避することができ、ＰＴ−ＲＳの挿入のための少なくとも１つの位置がある複数のサンプルの第２のセットは、受信機側のウィンドウ効果を受ける可能性が低いサンプルを備え得る。
【００５７】
[0069]複数のサンプルは、ＤＦＴ−ｓ−ＯＦＤＭ送信のシンボルのサンプルを備え得る。受信機側のウィンドウ効果を受ける可能性がある複数のサンプルの第１のセットは、あらかじめ定義された式および／または受信されたシグナリングに基づいて識別され得る。同様に、ＰＴ−ＲＳサンプルを挿入するための少なくとも１つの位置は、あらかじめ定義された式に基づいて決定され得る。たとえば、装置は、装置が受信機においてウィンドウ効果を受ける可能性があるそれ自体の送信内のサンプルを識別し得る、第２のワイヤレスデバイスからのシグナリングを受信し得る。サンプルは、サンプルのサイクリックシフト、または第２のワイヤレスデバイスがシンボルに対して実行するＦＦＴ演算ウィンドウ位置のうちのうちの少なくとも１つに基づいて識別され得る。たとえば、サンプルは、第２のワイヤレスデバイスがＦＦＴ演算に使用するシンボル内のサンプルのセットに基づいて識別され得る。第２のワイヤレスデバイスがＦＦＴ演算に使用するシンボル内のサンプルのセットは、あらかじめ定義された方法、送信内のサイクリックプレフィックスの長さ、および第２のデバイスからのインジケーションのうちの少なくとも１つに基づいて決定され得る。第２のワイヤレスデバイスがＦＦＴ演算に使用するサンプルのセットは、受信シンボル内のサンプルのサブセットのサイクリックシフトに対応してよい。したがって、受信機側のウィンドウ効果を受ける可能性があるサンプルの第１のセットは、第２のワイヤレスデバイスがＦＦＴ演算に使用するシンボル内のサンプルの第３のセットに基づいてよく、それらは、あらかじめ定義された方法、送信内のサイクリックプレフィックスの長さ、および第２のデバイスからのインジケーションのうちの少なくとも１つに基づき得る。サンプルの第１のセットは、シンボルの先頭にある第１の数のサンプル、たとえば、Ｋ個のサンプル、またはシンボルの終端にある第２の数のサンプル、たとえば、Ｍ個のサンプルのうちの少なくとも１つを備え得る。第２のワイヤレスデバイスがＦＦＴ演算に使用するサンプルの第３のセットは、シンボル内の複数のサンプルのサブセットのサイクリックシフトに対応してよい。シンボルのためのプレＤＦＴサンプルシーケンスの先頭にあるサンプルは、シンボルのための図７Ａおよび図７Ｂのサンプルシーケンスに関して示されたように、プレＤＦＴシーケンス内の最初のサンプル／最初の数個のサンプルである。プレＤＦＴシーケンスの最初の数個のサンプルは、本明細書ではシーケンスの「ヘッド」と呼ばれ得る。同様に、シンボルのためのプレＤＦＴサンプルシーケンスの終端にあるＭ個のサンプルは、図７Ａおよび図７Ｂに関して示されたように、シーケンスの終端にある最終／最後のサンプル、またはシーケンスの終端にある最後の数個のサンプルを含む、プレＤＦＴサンプルシーケンス内の最後のサンプルに対応するサンプルである。プレＤＦＴシーケンスの最後の数個のサンプルは、本明細書ではシーケンスの「テール」と呼ばれ得る。ＫおよびＭは、送信を送信する装置のトーン間隔に基づき得る。図７Ａおよび図７Ｂは、受信機側のウィンドウ効果を受ける可能性がある識別されたサンプルの例を示す。シンボルのためのプレＤＦＴサンプルシーケンスの先頭にある第１の数のサンプルおよび／またはシンボルのためのプレＤＦＴサンプルシーケンスの終端にある第２の数のサンプルは、あらかじめ定義された式に基づいて定義され得る。同様に、ＰＴ−ＲＳパターンは、あらかじめ定義された式に基づいて決定され得る。
【００５８】
[0070]ウィンドウ効果を受ける可能性があるシーケンス内の複数のサンプルの第１のセットは、プレＤＦＴサンプルシーケンスの先頭にある第１の数のサンプルおよびプレＤＦＴサンプルシーケンスの終端にある第２の数のサンプルのうちの少なくとも１つを備え得る。一例では、第１の数のサンプルおよび／または第２の数のサンプルは、チャネル遅延スプレッド推定値に基づき得る。たとえば、８０１において、装置はチャネルの遅延スプレッドの推定値を識別し得る。チャネルの遅延スプレッドの推定値は、ＣＰの長さを備え得る。第１の数のサンプルおよび第２の数のサンプルは、チャネルの遅延スプレッドの推定値、ＦＦＴサイズ、およびＤＦＴ−ｓ−ＯＦＤＭのＤＦＴの任意の組合せに基づき得る。たとえば、サンプルの対応する数（Ｑ）は、あらかじめ定義された式に基づいてよく、たとえば、ＱがＳ＊Ｊ／Ｌに比例する関数に基づいてよく、ここで、Ｑはサンプルの数に対応し、Ｓはチャネルの推定された遅延スプレッドに対応し、ＪはＦＦＴサイズに対応し、ＬはＤＦＴ−ｓ−ＯＦＤＭのＤＦＴサイズに対応する。したがって、ＰＴ−ＲＳパターンの数は、Ｓ、Ｊ、およびＬの任意の組合せに基づき得る。プレＤＦＴサンプルシーケンスの先頭にある第１の数のサンプルおよびプレＤＦＴサンプルシーケンスの終端にある第２の数のサンプルは、同じであり得る。別の例では、第１の数のサンプルおよび第２の数のサンプルは、異なっていてよい。
【００５９】
[0071]８０６において、装置は、決定された少なくとも１つの位置に基づいて、シーケンスにＰＴ−ＲＳサンプルを挿入し得る。図５の５０２に示されたように、ＰＴ−ＲＳ信号ｂ１、ｂ２、．．．は、８０４からの決定された位置に従って、データａ１、ａ２、ａ３、．．．とともに挿入され得る。
【００６０】
[0072]８１０において、装置は、挿入されたＰＴ−ＲＳサンプル、たとえば、サンプルのシーケンスに挿入されたＰＴ−ＲＳサンプルに基づいて、信号を送信し得る。
【００６１】
[0073]送信は、図５に関して記載されたように、送信用に処理されたＤＦＴ−ｓ−ＯＦＤＭ送信を備え得る。したがって、装置は、８０８において、プレＤＦＴサンプルシーケンスの複数のサンプルにＰＴ−ＲＳサンプルを挿入した後に、複数のサンプルに対してＤＦＴを実行し得る。図５は、５０２におけるＰＴ−ＲＳ挿入の後に、５０６において実行されるＤＦＴを示す。
【００６２】
[0074]図７Ａおよび図７Ｂに示されたように、サンプルの第１のセットは、シンボルのためのプレＤＦＴサンプルシーケンスの先頭にある第１の境界サンプル、たとえば、Ｋ番目のサンプル、および／またはシンボルのためのプレＤＦＴサンプルシーケンスの終端にある第２の境界サンプル、たとえば、Ｍ番目のサンプルのうちの少なくとも１つを備え得る。図７Ａに示されたように、シンボルのためのプレＤＦＴサンプルシーケンスの先頭から第１の境界サンプルであるＫ番目のサンプルまで延在するサンプルの第３のセットは、受信機側のウィンドウ効果によって影響を受ける可能性があり得る。サンプルの第３のセットは図７Ａのサンプル１〜サンプルＫに対応する。同様に、第２の境界サンプルであるＭ番目のサンプルからシンボルのためのプレＤＦＴサンプルシーケンスの終端まで延在するサンプルの第４のセットは、受信機側のウィンドウ効果によって影響を受ける可能性があり得る。サンプルの第４のセットはサンプルＭ〜サンプルＮに対応し、ここで、ＮはＮ個のサンプルのセット内の最後のサンプルである。少なくとも１つの位置は、第１の境界サンプル、第２の境界サンプル、サンプルの第３のセット、またはサンプルの第４のセットのうちの少なくとも１つを含まないように、たとえば、サンプル１〜ＫとサンプルＭ〜Ｎとを回避して決定され得る。位置は、第１の境界サンプルと第２の境界サンプルとの間の、たとえば、サンプルＫ＋１〜Ｋ＋ｋおよびＮ−Ｍ−ｍ〜Ｎ−Ｍ−１の間隔内の少なくとも１つのサンプルを含んでよく、ここで、ｋおよびｍはゼロより大きい整数であり、（ｋ＋ｍ）は送信において使用されるＰＴ−ＲＳサンプルの数である。したがって、ＰＴ−ＲＳサンプルの少なくとも一部は、受信機におけるウィンドウ効果を受ける可能性がない位置にあるプレＤＦＴサンプルシーケンスのサンプルの間隔内に挿入され得る。
【００６３】
[0075]図９は、例示的な装置９０２内の様々な手段／コンポーネント間のデータフローを示す概念的なデータフロー図９００である。装置は、ＵＥ（たとえば、ＵＥ１０４、３５０、１２５０）などの送信装置であり得る。装置は、基地局９５０からのダウンリンク通信などのワイヤレス通信および／または他のワイヤレスデバイスからのワイヤレスシグナリングを受信する受信コンポーネント９０４を含む。装置は、受信デバイスにワイヤレス送信を送信するように構成された送信コンポーネント９０６を含む。送信は、図５に関して記載されたようなＤＦＴ−ｓ−ＯＦＤＭ送信を備え得る。装置は、図８の８０４ならびに図７Ａおよび図７Ｂに関して記載されたように、複数のサンプルのシーケンスにＰＴ−ＲＳサンプルを挿入するための少なくとも１つの位置を決定するように構成されたＰＴ−ＲＳコンポーネント９１０を含んでよく、複数のサンプルの第１のセットは、シーケンスの先頭にある第１の数のサンプルおよびシーケンスの終端にある第２の数のサンプルのうちの少なくとも１つを備え、ＰＴ−ＲＳサンプルのための少なくとも１つの位置は複数のサンプルの第２のセット内にある。装置は、図８の８０１ならびに図７Ａおよび図７Ｂに関して記載されたように、受信機側のウィンドウ効果を受ける可能性がある送信のためのサンプルを識別するように構成された識別コンポーネント９０８を含み得る。位置は、あらかじめ定義された式および／または別のワイヤレスデバイスからの受信シグナリングに基づき得る。位置は、チャネル遅延スプレッド推定値に基づき得る。たとえば、装置は、チャネルの遅延スプレッドの推定値を識別するように構成された遅延スプレッドコンポーネント９１８を含み得る。サンプルの第１のセットは、シンボルのためのプレＤＦＴサンプルシーケンスの先頭にある第１の数のサンプル、および／またはシンボルのためのプレＤＦＴサンプルシーケンスの終端にある第２の数のサンプルを備え得る。第１の数のサンプルおよび第２の数のサンプルは、たとえば、図７Ａおよび図７Ｂに関して記載されたように、チャネルの遅延スプレッドの推定値に基づき得る。
【００６４】
[0076]決定された位置は、たとえば、決定された位置に基づいてデータコンポーネント９１２からのデータサンプルを有するサンプルシーケンスにＰＴ−ＲＳサンプルを挿入する結合コンポーネント９１４に提供され得る。装置は、たとえば、図８の８０８および図５に関して記載されたように、複数のサンプルにＰＴ−ＲＳサンプルを挿入した後に、サンプルに対してＤＦＴを実行するように構成されたＤＦＴコンポーネント９１６を含み得る。送信コンポーネント９０６は、挿入されたＰＴ−ＲＳサンプルに基づいて信号を送信するように構成され得る。
【００６５】
[0077]装置は、図８のフローチャート内のアルゴリズムのブロックの各々を実行する追加のコンポーネントを含み得る。そのため、図８のフローチャート内の各ブロックは１つのコンポーネントによって実行されてよく、装置はそれらのコンポーネントのうちの１つまたは複数を含み得る。コンポーネントは、述べられたプロセス／アルゴリズムを実行するように具体的に構成された１つもしくは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６６】
[0078]図１０は、処理システム１０１４を採用する装置９０２’のためのハードウェア実装形態の一例を示す図１０００である。処理システム１０１４は、バス１０２４によって全体的に表される、バスアーキテクチャを用いて実装され得る。バス１０２４は、処理システム１０１４の特定の用途および全体的な設計制約に応じて、任意の数の相互接続するバスとブリッジとを含み得る。バス１０２４は、プロセッサ１００４によって表される１つまたは複数のプロセッサおよび／またはハードウェアコンポーネントと、コンポーネント９０４、９０６、９０８、９１０、９１２、９１４、９１６、９１８と、コンピュータ可読媒体／メモリ１００６とを含む様々な回路を互いにリンクする。バス１０２４はまた、タイミングソース、周辺機器、電圧調整器、および電力管理回路などの様々な他の回路をリンクし得るが、それらは当技術分野においてよく知られており、したがって、これ以上記載されない。
【００６７】
[0079]処理システム１０１４は、トランシーバ１０１０に結合され得る。トランシーバ１０１０は、１つまたは複数のアンテナ１０２０に結合される。トランシーバ１０１０は、送信媒体を介して様々な他の装置と通信するための手段を提供する。トランシーバ１０１０は、１つまたは複数のアンテナ１０２０から信号を受信し、受信された信号から情報を抽出し、抽出された情報を処理システム１０１４、具体的には受信コンポーネント９０４に提供する。加えて、トランシーバ１０１０は、処理システム１０１４、具体的には送信コンポーネント９０６から情報を受信し、受信された情報に基づいて、１つまたは複数のアンテナ１０２０に印加されるべき信号を生成する。処理システム１０１４は、コンピュータ可読媒体／メモリ１００６に結合されたプロセッサ１００４を含む。プロセッサ１００４は、コンピュータ可読媒体／メモリ１００６に記憶されたソフトウェアの実行を含む一般的な処理を担う。ソフトウェアは、プロセッサ１００４によって実行されると、任意の特定の装置のための上記に記載された様々な機能を処理システム１０１４に実行させる。コンピュータ可読媒体／メモリ１００６はまた、ソフトウェアを実行するときにプロセッサ１００４によって操作されるデータを記憶するために使用され得る。処理システム１０１４は、コンポーネント９０４、９０６、９０８、９１０、９１２、９１４、９１６、９１８のうちの少なくとも１つをさらに含む。それらのコンポーネントは、プロセッサ１００４において実行され、コンピュータ可読媒体／メモリ１００６内に存在する／記憶されたソフトウェアコンポーネント、プロセッサ１００４に結合された１つもしくは複数のハードウェアコンポーネント、またはそれらの何らかの組合せであり得る。処理システム１０１４は、ＵＥ３５０のコンポーネントであってよく、メモリ３６０、ならびに／またはＴＸプロセッサ３６８、ＲＸプロセッサ３５６、およびコントローラ／プロセッサ３５９のうちの少なくとも１つを含み得る。
【００６８】
[0080]１つの構成では、ワイヤレス通信のための装置９０２／９０２’は、受信機側のウィンドウ効果を受ける可能性があるプレＤＦＴサンプルシーケンスのサンプルを識別するための手段、チャネルの遅延スプレッドの推定値を識別するための手段、複数のサンプルのシーケンスにＰＴ−ＲＳサンプルを挿入するための少なくとも１つの位置を決定するための手段、ここにおいて、複数のサンプルの第１のセットが、シーケンスの先頭にある第１の数のサンプルおよびシーケンスの終端にある第２の数のサンプルのうちの少なくとも１つを備え、ここにおいて、ＰＴ−ＲＳサンプルのための少なくとも１つの位置が複数のサンプルの第２のセット内にある、決定された少なくとも１つの位置に基づいてシーケンスにＰＴ−ＲＳサンプルを挿入するための手段、挿入されたＰＴ−ＲＳサンプルに基づいて信号を送信するための手段、ならびに複数のサンプルにＰＴ−ＲＳサンプルを挿入した後にサンプルに対してＤＦＴを実行するための手段のうちのいずれかを含む。前述の手段は、前述の手段によって列挙された機能を実行するように構成された、装置９０２、および／または装置９０２’の処理システム１０１４の前述のコンポーネントのうちの１つまたは複数であり得る。上記に記載されたように、処理システム１０１４は、ＴＸプロセッサ３６８と、ＲＸプロセッサ３５６と、コントローラ／プロセッサ３５９とを含み得る。そのため、１つの構成では、前述の手段は、前述の手段によって列挙された機能を実行するように構成されたＴＸプロセッサ３６８、ＲＸプロセッサ３５６、およびコントローラ／プロセッサ３５９であり得る。
【００６９】
[0081]図１１は、ワイヤレス通信の方法のフローチャート１１００である。方法は、基地局（たとえば、基地局１０２、１８０、３１０、９５０、装置１２０２／１２０２’）などの受信デバイスによって実行され得る。受信デバイスは、図５に関して記載されたように、ＤＦＴ−ｓ−ＯＦＤＭ送信を受信することができ、送信を処理し得る。オプションの態様は破線で示されている。
【００７０】
[0082]１１０４において、装置は、複数のサンプルのシーケンスを備える受信された送信内のＰＴ−ＲＳサンプルのための少なくとも１つの位置を決定し、複数のサンプルの第１のセットは、シーケンスの先頭にある第１の数のサンプルおよびシーケンスの終端にある第２の数のサンプルのうちの少なくとも１つを備え、ＰＴ−ＲＳサンプルのための少なくとも１つの位置は複数のサンプルの第２のセット内にある。複数のサンプルの第１のセットは、ウィンドウ効果に起因して位相誤差を受ける可能性があり得る。サンプルの第２のセットは、ウィンドウ効果を受ける可能性があるサンプルを回避し得る。したがって、決定された位置は、Ｋ＋１番目のサンプルからＭ−１番目のサンプルまで延在するサンプルのセットに限定され得る。したがって、サンプルの第２のセットは、受信機側のウィンドウ効果を受けないサンプルを備え得る。
【００７１】
[0083]１１０２において、装置は、ウィンドウ効果に起因して位相誤差を受ける可能性がある受信された送信内のサンプルを識別し得る。
【００７２】
[0084]サンプルの第１のセットは、たとえば、図７Ａおよび図７Ｂに関して記載されたように、シンボルのためのプレＤＦＴサンプルシーケンスの先頭にある第１の数Ｋのサンプル、およびシンボルのためのプレＤＦＴサンプルシーケンスの終端にある第２の数Ｍのサンプルのうちの少なくとも１つを備え得る。シンボルのためのプレＤＦＴサンプルシーケンスの先頭にある第１の数ＫのサンプルおよびシンボルのためのプレＤＦＴサンプルシーケンスの終端にある第２の数Ｍのサンプルは、受信された送信を送信するユーザ機器のトーン間隔に基づき得る。シンボルのためのプレＤＦＴサンプルシーケンスの先頭にある第１の数ＫのサンプルおよびシンボルのためのプレＤＦＴサンプルシーケンスの終端にある第２の数Ｍのサンプルは、受信された送信においてユーザ機器によって使用されるスケジュールされた帯域幅またはＤＦＴサイズと無関係であり得る。シーケンスの先頭にある第１の数のサンプルおよびシーケンスの終端にある第２の数のサンプルは、あらかじめ定義された式に基づいて識別され得る。同様に、ＰＴ−ＲＳサンプルのための少なくとも１つの位置は、あらかじめ定義された式に基づいて決定され得る。位置は、サンプルのサイクリックシフト、または第２のワイヤレスデバイスがシンボルに対して実行する高速フーリエ変換演算ウィンドウ位置のうちの少なくとも１つに基づいて識別され得る。たとえば、位置は、第２のワイヤレスデバイスがＦＦＴ演算に使用するシンボルのためのプレＤＦＴサンプルシーケンス内のサンプルのセット、たとえば、サンプルの第３のセットに基づいて識別され得る。第２のワイヤレスデバイスがＦＦＴ演算に使用するシンボル内のサンプルの第３のセットは、あらかじめ定義された方法、送信内のサイクリックプレフィックスの長さ、および第２のデバイスからのインジケーションのうちの少なくとも１つに基づき得る。第２のワイヤレスデバイスがＦＦＴ演算に使用するサンプルの第３のセットは、シンボル内の複数のサンプルのサブセットのサイクリックシフトに対応してよい。
【００７３】
[0085]一例では、識別されたサンプルはチャネル遅延スプレッド推定値に基づき得る。たとえば、１１０１において、装置はチャネルの遅延スプレッドの推定値を識別し得る。チャネルの遅延スプレッドの推定値はＣＰの長さであり得る。位置は、受信デバイスが高速フーリエ変換演算に使用するシンボル内のサンプルのセットに基づき得る。識別されたサンプルは、シンボルのためのプレＤＦＴサンプルシーケンスの先頭にある第１の数のサンプルおよびシンボルのためのプレＤＦＴサンプルシーケンスの終端にある第２の数のサンプルを備えてよく、第１の数のサンプルおよび第２の数のサンプルは、チャネルの遅延スプレッドの推定値に基づく。サンプルの対応する数（Ｑ）は、ＱがＳ＊Ｊ／Ｌに比例する関数に基づいてよく、ここで、Ｑはサンプルの数に対応し、Ｓはチャネルの推定された遅延スプレッドに対応し、ＪはＦＦＴサイズに対応し、ＬはＤＦＴ−ｓ−ＯＦＤＭのＤＦＴサイズに対応する。したがって、第１および／または第２の数のサンプルは、結果として位置は、Ｓ、Ｊ、およびＬの任意の組合せに基づき得る。一例では、第１の数のサンプルは、第２の数のサンプルと同じ数であり得る。別の例では、第１の数のサンプルは、第２の数のサンプルとは異なる数を備え得る。
【００７４】
[0086]一例では、シンボルの先頭にある第１の数のサンプルおよびシンボルの終端にある第２の数のサンプルは、スケジュールされた帯域幅または受信された送信内でユーザ機器によって使用される離散フーリエ変換サイズと無関係に識別され得る。シンボルの先頭にある第１の数のサンプルおよびシンボルの終端にある第２の数のサンプルは、受信された送信を送信するユーザ機器の間隔に基づいて識別され得る。
【００７５】
[0087]複数のサンプルの第１のセットは、シンボルのためのプレＤＦＴサンプルシーケンスの先頭にある第１の境界サンプルおよびシンボルのためのプレＤＦＴサンプルシーケンスの終端にある第２の境界サンプルのうちの少なくとも１つを含んでよく、シンボルのためのプレＤＦＴサンプルシーケンスの先頭から第１の境界サンプルまで延在するサンプルの第３のセットは、受信機側のウィンドウ効果によって影響を受ける可能性があり、または第２の境界サンプルからシンボルのためのプレＤＦＴサンプルシーケンスの終端まで延在するサンプルの第４のセットは、受信機側のウィンドウ効果によって影響を受ける可能性がある。１１０４において決定された少なくとも１つの位置は、第１の境界サンプル、第２の境界サンプル、サンプルの第３のセット、またはサンプルの第４のセットのうちの少なくとも１つを含まない可能性がある。
【００７６】
[0088]１１０６において、装置は、図５および図６に関して記載されたように、ＰＴ−ＲＳ信号を抽出する前に受信された送信に対してＩＤＦＴを実行することができ、ＩＤＦＴは出力サンプルに巡回構造を課す。
【００７７】
[0089]１１０８において、装置は、たとえば、図５の５３２に示されたように、識別されたＰＴ−ＲＳパターンに基づいて、受信された送信からＰＴ−ＲＳ信号を抽出する。
【００７８】
[0090]１１１０において、装置は、抽出されたＰＴ−ＲＳ信号に基づいて、受信された送信内のデータサンプルについて位相誤差を推定する。データサンプルについての位相誤差は、位相誤差シーケンスの巡回構造に基づいて推定され得る。位相誤差の推定は、サンプルの第１のセットについての第１の推定とサンプルの第２のセットについての第２の推定とを備えてよく、サンプルの第１のセットはウィンドウ効果を備えるように識別され、サンプルの第２のセットはウィンドウ効果がないと識別される。したがって、位相誤差の推定は、ウィンドウ効果を受けると識別された領域およびウィンドウ効果がない領域について、区分的な方式で実行され得る。
【００７９】
[0091]１１１２において、装置は、図５に関して記載されたように、推定された位相誤差に基づいて受信されたデータサンプルの位相を補正する。
【００８０】
[0092]図１２は、例示的な装置１２０２内の様々な手段／コンポーネント間のデータフローを示す概念的なデータフロー図１２００である。装置は、基地局（たとえば、基地局１０２、１８０、３１０、９５０）などの受信装置であり得る。装置は、たとえば、ユーザ機器１２５０などの送信デバイスからワイヤレス送信を受信する受信コンポーネント１２０４を含む。装置は、たとえば、ユーザ機器１２５０にワイヤレス通信を送信するように構成された送信デバイス１２０６を含む。
【００８１】
[0093]装置は、受信された送信内のサンプルを識別するように構成された識別コンポーネント１２０８を含んでよく、サンプルは、図７Ａおよび図７Ｂに関して記載されたように、ウィンドウ効果に起因して位相誤差を受ける。識別は、チャネル遅延スプレッド推定値に基づき得る。たとえば、装置は、チャネルの遅延スプレッドの推定値を識別するように構成された遅延スプレッドコンポーネント１２２０を含み得る。識別されたサンプルは、たとえば、図７Ａおよび図７Ｂに関して記載されたように、シンボルのためのプレＤＦＴサンプルシーケンスの先頭にある第１の数のサンプルおよびシンボルのためのプレＤＦＴサンプルシーケンスの終端にある第２の数のサンプルを備えてよく、第１の数のサンプルおよび第２の数のサンプルは、チャネルの遅延スプレッドの推定値に基づく。
【００８２】
[0094]装置は、複数のサンプルのシーケンスを備える受信された送信内のＰＴ−ＲＳサンプルのための少なくとも１つの位置を決定するように構成されたＰＴ−ＲＳコンポーネント１２１０を含んでよく、複数のサンプルの第１のセットは、シーケンスの先頭にある第１の数のサンプルおよびシーケンスの終端にある第２の数のサンプルのうちの少なくとも１つを備え、ＰＴ−ＲＳサンプルのための少なくとも１つの位置は複数のサンプルの第２のセット内にある。装置は、ＰＴ−ＲＳサンプルを抽出する前に受信された送信に対してＩＤＦＴを実行するように構成されたＩＤＦＴコンポーネント１２１２を含んでよく、ＩＤＦＴは出力サンプルに巡回構造を課す。装置は、決定された位置に基づいて受信された送信からＰＴ−ＲＳサンプルを抽出するように構成されたＰＴ−ＲＳ抽出コンポーネント１２１４を含み得る。装置は、抽出されたＰＴ−ＲＳサンプルに基づいて受信された送信内のデータサンプルについての位相誤差を推定するように構成された位相誤差推定コンポーネント１２１６を備え得る。装置は、推定された位相誤差に基づいて受信されたデータサンプルの位相を補正するように構成された補正コンポーネント１２１８を含み得る。
【００８３】
[0095]装置は、図１１の前述のフローチャート内のアルゴリズムのブロックの各々を実行する追加のコンポーネントを含み得る。そのため、図１１の前述のフローチャート内の各ブロックは１つのコンポーネントによって実行されてよく、装置はそれらのコンポーネントのうちの１つまたは複数を含み得る。コンポーネントは、述べられたプロセス／アルゴリズムを実行するように具体的に構成された１つもしくは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８４】
[0096]図１３は、処理システム１３１４を採用する装置１２０２’のためのハードウェア実装形態の一例を示す図１３００である。処理システム１３１４は、バス１３２４によって全体的に表される、バスアーキテクチャを用いて実装され得る。バス１３２４は、処理システム１３１４の特定の用途および全体的な設計制約に応じて、任意の数の相互接続するバスとブリッジとを含み得る。バス１３２４は、プロセッサ１３０４によって表される１つまたは複数のプロセッサおよび／またはハードウェアコンポーネントと、コンポーネント１２０４、１２０６、１２０８、１２１０、１２１２、１２１４、１２１６、１２１８、１２２０と、コンピュータ可読媒体／メモリ１３０６とを含む様々な回路を互いにリンクする。バス１３２４はまた、タイミングソース、周辺機器、電圧調整器、および電力管理回路などの様々な他の回路をリンクし得るが、それらは当技術分野においてよく知られており、したがって、これ以上記載されない。
【００８５】
[0097]処理システム１３１４は、トランシーバ１３１０に結合され得る。トランシーバ１３１０は、１つまたは複数のアンテナ１３２０に結合される。トランシーバ１３１０は、送信媒体を介して様々な他の装置と通信するための手段を提供する。トランシーバ１３１０は、１つまたは複数のアンテナ１３２０から信号を受信し、受信された信号から情報を抽出し、抽出された情報を処理システム１３１４、具体的には受信コンポーネント１２０４に提供する。加えて、トランシーバ１３１０は、処理システム１３１４、具体的には送信コンポーネント１２０６から情報を受信し、受信された情報に基づいて、１つまたは複数のアンテナ１３２０に印加されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担う。ソフトウェアは、プロセッサ１３０４によって実行されると、任意の特定の装置のための上記に記載された様々な機能を処理システム１３１４に実行させる。コンピュータ可読媒体／メモリ１３０６はまた、ソフトウェアを実行するときにプロセッサ１３０４によって操作されるデータを記憶するために使用され得る。処理システム１３１４は、コンポーネント１２０４、１２０６、１２０８、１２１０、１２１２、１２１４、１２１６、１２１８、１２２０のうちの少なくとも１つをさらに含む。それらのコンポーネントは、プロセッサ１３０４において実行され、コンピュータ可読媒体／メモリ１３０６内に存在する／記憶されたソフトウェアコンポーネント、プロセッサ１３０４に結合された１つもしくは複数のハードウェアコンポーネント、またはそれらの何らかの組合せであり得る。処理システム１３１４は、基地局３１０のコンポーネントであってよく、メモリ３７６、ならびに／またはＴＸプロセッサ３１６、ＲＸプロセッサ３７０、およびコントローラ／プロセッサ３７５のうちの少なくとも１つを含み得る。
【００８６】
[0098]１つの構成では、ワイヤレス通信のための装置１２０２／１２０２’は、ウィンドウ効果に起因して位相誤差を受ける可能性がある受信された送信内のサンプルを識別するための手段、複数のサンプルのシーケンスを備える受信された送信内のＰＴ−ＲＳサンプルのための少なくとも１つの位置を決定するための手段、ここにおいて、複数のサンプルの第１のセットが、シーケンスの先頭にある第１の数のサンプルおよびシーケンスの終端にある第２の数のサンプルのうちの少なくとも１つを備え、ここにおいて、ＰＴ−ＲＳサンプルのための少なくとも１つの位置が複数のサンプルの第２のセット内にある、決定された少なくとも１つの位置に基づいて受信された送信からＰＴ−ＲＳサンプルを抽出するための手段、チャネルの遅延スプレッドの推定値を識別するための手段、抽出されたＰＴ−ＲＳサンプルに基づいて受信された送信内のデータサンプルについての位相誤差を推定するための手段、ＰＴ−ＲＳサンプルを抽出する前に受信された送信に対してＩＤＦＴを実行するための手段、ここにおいて、ＩＤＦＴが出力サンプルに巡回構造を課す、ならびに推定された位相誤差に基づいて受信されたデータサンプルの位相を補正するための手段を含む。前述の手段は、前述の手段によって列挙された機能を実行するように構成された、装置１２０２、および／または装置１２０２’の処理システム１３１４の前述のコンポーネントのうちの１つまたは複数であり得る。上記に記載されたように、処理システム１３１４は、ＴＸプロセッサ３１６と、ＲＸプロセッサ３７０と、コントローラ／プロセッサ３７５とを含み得る。そのため、１つの構成では、前述の手段は、前述の手段によって列挙された機能を実行するように構成されたＴＸプロセッサ３１６、ＲＸプロセッサ３７０、およびコントローラ／プロセッサ３７５であり得る。
【００８７】
[0099]開示されたプロセス／フローチャート内のブロックの特定の順序または階層は、例示的な手法の一例であることを理解されたい。設計上の選好に基づいて、プロセス／フローチャート内のブロックの特定の順序または階層は、再配置され得ることを理解されたい。さらに、いくつかのブロックは組み合わされるかまたは省略され得る。添付の方法クレームは、様々なブロックの要素を例示的な順序で提示したものであり、提示された特定の順序または階層に限定されるものではない。
【００８８】
[00100]以上の説明は、当業者が本明細書に記載された様々な態様を実践することを可能にするために提供される。これらの態様への様々な修正は当業者には容易に明らかであり、本明細書において定義された一般的な原理は他の態様に適用され得る。したがって、特許請求の範囲は、本明細書に示された態様に限定されるものではなく、特許請求の範囲の言い回しに矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書に記載されたいかなる態様も、必ずしも他の態様よりも好ましいか、または有利であると解釈されるべきではない。別段に明記されていない限り、「いくつか」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであってよく、任意のそのような組合せは、Ａ、Ｂ、またはＣのうちの１つまたは複数のメンバを含み得る。本開示全体にわたって記載された様々な態様の要素に対するすべての構造的および機能的な均等物は、当業者に知られているか、または後に知られるようになり、参照により本明細書に明確に組み込まれ、特許請求の範囲によって包含されるものである。その上、本明細書で開示された何ものも、そのような開示が特許請求の範囲に明示的に列挙されているかどうかにかかわらず、公に供するものではない。「モジュール」、「機構」、「要素」、「デバイス」などという単語は、「手段」という単語の代用ではない場合がある。そのため、いかなるクレーム要素も、その要素が「のための手段」という語句を使用して明確に列挙されていない限り、ミーンズプラスファンクションとして解釈されるべきではない。
【図１】
2020537421.tif 000003
【図２Ａ】
2020537421.tif 000004
【図２Ｂ】
2020537421.tif 000005
【図２Ｃ】
2020537421.tif 000006
【図２Ｄ】
2020537421.tif 000007
【図３】
2020537421.tif 000008
【図４】
2020537421.tif 000009
【図５】
2020537421.tif 000010
【図６】
2020537421.tif 000011
【図７Ａ】
2020537421.tif 000012
【図７Ｂ】
2020537421.tif 000013
【図８】
2020537421.tif 000014
【図９】
2020537421.tif 000015
【図１０】
2020537421.tif 000016
【図１１】
2020537421.tif 000017
【図１２】
2020537421.tif 000018
【図１３】
2020537421.tif 000019
【国際調査報告】
2020537421.tif 000020
2020537421.tif 000021
2020537421.tif 000022